(57)【要約】  店舗側の負担を増加させることなく、広告情報を配信できるとともに広告の効果を検証できるようにする。配信サーバ１は、広告情報に広告ＩＤ及び広告位置情報を付加してユーザ携帯端末３に配信する。ユーザ携帯端末３は、センサ３２が検出した端末位置情報と、広告情報に付加されている広告位置情報とに基づいて、ユーザが店舗に来店したか否かを自動判定する。ユーザが来店したと判定すると、ユーザ携帯端末３は、ユーザＩＤ及び広告情報に付加されている広告ＩＤを抽出し、効果検証サーバ２に送信する。効果検証サーバ２は、受信したユーザＩＤ及び広告ＩＤに基づいて、広告の効果を検証する処理を実行し、広告の効果の検証結果に基づいて、ユーザに付与するポイント、及び広告主に請求する広告料を算出する。
2008114643.tif 000002
【特許請求の範囲】
【請求項１】
広告情報を配信するとともに広告の効果を検証する広告配信システムであって、
広告の効果を検証する広告効果検証サーバと、
ユーザ端末とを備え、
前記ユーザ端末は、
当該ユーザ端末の位置を示す端末位置情報を求める端末位置算出手段と、
前記端末位置算出手段が求めた端末位置情報に基づいて、ユーザが来店したか否かを判定する来店判定手段と、
前記来店判定手段によってユーザが来店したと判定されたことに基づいて、ユーザが来店したことを示す来店情報を、通信ネットワークを介して前記広告効果検証サーバに送信する来店情報送信手段とを含み、
前記広告効果検証サーバは、前記ユーザ端末から受信した来店情報に基づいて、広告の効果を検証する広告効果検証手段を含む
ことを特徴とする広告配信システム。
【請求項２】
広告情報を配信する広告配信サーバを備え、
前記広告配信サーバは、
広告情報に関する位置を示す広告位置情報を前記広告情報に付加する広告位置情報付加手段と、
前記広告位置情報付加手段が広告位置情報を付加した広告情報を、通信ネットワークを介して前記ユーザ端末に送信する広告情報送信手段とを含み、
来店判定手段は、端末位置算出手段が求めた端末位置情報と、前記広告配信サーバから受信した広告情報に付加されている広告位置情報とに基づいて、ユーザが来店したか否かを判定する
請求項１記載の広告配信システム。
【請求項３】
広告配信サーバは、広告情報を識別するための広告ＩＤを前記広告情報に付加する広告ＩＤ付加手段を含み、
広告情報送信手段は、前記広告ＩＤ付加手段が広告ＩＤを付加した広告情報を、通信ネットワークを介してユーザ端末に送信し、
来店情報送信手段は、前記広告配信サーバから受信した広告情報に付加された広告ＩＤを含む来店情報を、通信ネットワークを介して広告効果検証サーバに送信し、
広告効果検証手段は、ユーザ端末からの広告ＩＤの受信回数を集計することによって、広告の効果を示す広告効果情報として、来店顧客数を含む情報を生成し、
広告効果検証サーバは、前記広告効果検証手段が生成した広告効果情報に示される来店顧客数に応じて、広告主に対して請求する広告料を算出する広告料算出手段を含む
請求項２記載の広告配信システム。
【請求項４】
来店情報送信手段は、ユーザを識別するためのユーザＩＤを含む来店情報を、通信ネットワークを介して広告効果検証サーバに送信し、
広告効果検証手段は、ユーザ端末からのユーザＩＤの受信回数を集計することによって、広告の効果を示す広告効果情報として、ユーザの来店回数を含む情報を生成し、
広告効果検証サーバは、前記広告効果検証手段が生成した広告効果情報に示される来店回数に応じて、ユーザに対して付与するポイントを算出するポイント算出手段を含む
請求項１から請求項３のうちのいずれか１項に記載の広告配信システム。
【請求項５】
来店情報送信手段は、端末位置算出手段を特定可能な位置算出手段特定情報を含む来店情報を、通信ネットワークを介して広告効果検証サーバに送信し、
広告効果検証サーバは、ユーザ端末から受信した位置算出手段特定情報に基づいて、前記端末位置算出手段を用いた位置算出の信頼性を判定する信頼性判定手段を含み、
広告効果検証手段は、前記信頼性判定手段によって前記端末位置算出手段を用いた位置算出の信頼性が高いと判定されたことに基づいて、広告の効果を検証する
請求項１から請求項４のうちのいずれか１項に記載の広告配信システム。
【請求項６】
通信キャリアが運営する通信キャリアサーバを備え、
前記通信キャリアサーバは、
端末位置情報を取得する端末位置取得手段と、
前記端末位置取得手段が取得した端末位置情報に基づいて、ユーザが来店したか否かを判定するキャリア側来店判定手段と、
前記キャリア側来店判定手段によってユーザが来店したと判定されたことに基づいて、ユーザが来店したことを示す来店情報を、通信ネットワークを介して前記広告効果検証サーバに送信するキャリア側来店情報送信手段とを含み、
広告効果検証サーバは、広告効果検証手段の検証結果に基づいて、通信キャリアに対して支払う対価を算出するキャリア対価算出手段を含む
請求項１から請求項５のうちのいずれか１項に記載の広告配信システム。
【請求項７】
広告情報を配信する広告配信サーバと、
広告情報を仲介するアフィリエイト仲介者が使用するアフィリエイト端末とを備え、
前記広告配信サーバは、アフィリエイト仲介者を識別するためのアフィリエイトＩＤを広告情報に付加するアフィリエイトＩＤ付加手段と、
前記アフィリエイトＩＤ付加手段がアフィリエイトＩＤを付加した広告情報を、通信ネットワークを介して前記ユーザ端末に送信する広告情報送信手段を含み、
前記アフィリエイト端末は、前記広告配信サーバから受信した広告情報をユーザ端末に転送する広告情報転送手段を含み、
来店情報送信手段は、前記アフィリエイト端末から受信した広告情報に付加されたアフィリエイトＩＤを含む来店情報を、通信ネットワークを介して広告効果検証サーバに送信し、
広告効果検証手段は、ユーザ端末からのアフィリエイトＩＤの受信回数を集計することによって、広告の効果を示す広告効果情報として、アフィリエイト仲介者の紹介によってユーザが実際に来店した実来店回数を含む情報を生成し、
広告効果検証サーバは、前記広告効果検証手段が生成した広告効果情報に示される実来店回数に応じて、アフィリエイト仲介者に対して支払う対価を算出するアフィリエイト対価算出手段を含む
請求項１から請求項６のうちのいずれか１項に記載の広告配信システム。
【請求項８】
アフィリエイト端末は、
当該アフィリエイト端末の位置を示すアフィリエイト端末位置情報を求めるアフィリエイト端末位置算出手段と、
前記アフィリエイト端末位置算出手段が求めたアフィリエイト端末位置情報に基づいて、アフィリエイト仲介者が来店したか否かを判定するアフィリエイト来店判定手段と、
前記アフィリエイト来店判定手段によってアフィリエイト仲介者が来店したと判定されたことに基づいて、アフィリエイト仲介者が来店したことを示すアフィリエイト来店情報を、通信ネットワークを介して前記広告効果検証サーバに送信するアフィリエイト来店情報送信手段とを含み、
広告効果検証サーバは、ユーザ端末から受信した来店情報と、前記アフィリエイト端末から受信したアフィリエイト端末情報とに基づいて、アフィリエイト仲介者とユーザとが同伴で来店したか否かを判定する同伴判定手段を含み、
アフィリエイト対価算出手段は、前記同伴判定手段の判定結果に基づいて、アフィリエイト仲介者に対して支払う対価を算出する
請求項７記載の広告配信システム。
【請求項９】
広告情報を配信する広告配信システムにおける広告の効果を検証する広告効果検証サーバであって、
ユーザ端末から、前記ユーザ端末が位置の算出に用いる端末位置算出手段を特定可能な位置算出手段特定情報を含む来店情報を、通信ネットワークを介して受信する位置算出手段特定情報受信手段と、
前記位置算出手段特定情報受信手段が受信した位置算出手段特定情報に基づいて、前記ユーザ端末による前記端末位置算出手段を用いた位置算出の信頼性を判定する信頼性判定手段と、
前記信頼性判定手段によって前記端末位置算出手段を用いた位置算出の信頼性が高いと判定されたことに基づいて、広告の効果を検証する広告効果検証手段とを
備えたことを特徴とする広告効果検証サーバ。
【請求項１０】
通信キャリアが運営する通信キャリアサーバから、ユーザが来店したことを示す来店情報を、通信ネットワークを介して受信するキャリア側来店情報受信手段と、
広告効果検証手段の検証結果に基づいて、通信キャリアに対して支払う対価を算出するキャリア対価算出手段とを備えた
請求項９記載の広告効果検証サーバ。
【請求項１１】
ユーザ端末から、広告情報を仲介するアフィリエイト仲介者を識別するためのアフィリエイトＩＤを含む来店情報を、通信ネットワークを介して受信する来店情報受信手段を備え、
広告効果検証手段は、ユーザ端末からのアフィリエイトＩＤの受信回数を集計することによって、広告の効果を示す広告効果情報として、アフィリエイト仲介者の紹介によってユーザが実際に来店した実来店回数を含む情報を生成し、
前記広告効果検証手段が生成した広告効果情報に示される実来店回数に応じて、アフィリエイト仲介者に対して支払う対価を算出するアフィリエイト対価算出手段をさらに備えた
請求項９又は請求項１０記載の広告効果検証サーバ。
【請求項１２】
アフィリエイト仲介者が使用するアフィリエイト端末から、アフィリエイト仲介者が来店したことを示すアフィリエイト来店情報を、通信ネットワークを介して受信するアフィリエイト来店情報受信手段と、
ユーザ端末から受信した来店情報と、前記アフィリエイト端末から受信したアフィリエイト端末情報とに基づいて、アフィリエイト仲介者とユーザとが同伴で来店したか否かを判定する同伴判定手段とを備え、
アフィリエイト対価算出手段は、前記同伴判定手段の判定結果に基づいて、アフィリエイト仲介者に対して支払う対価を算出する
請求項１１記載の広告効果検証サーバ。
【請求項１３】
広告情報を配信するとともに広告の効果を検証する広告配信システムのユーザ端末であって、
当該ユーザ端末の位置を示す端末位置情報を求める端末位置算出手段と、
前記端末位置算出手段が求めた端末位置情報に基づいて、ユーザが来店したか否かを判定する来店判定手段と、
前記来店判定手段によってユーザが来店したと判定されたことに基づいて、ユーザが来店したことを示す来店情報を、通信ネットワークを介して前記広告効果検証サーバに送信する来店情報送信手段とを
備えたことを特徴とする広告配信システムのユーザ端末。
【請求項１４】
広告情報を配信するとともに広告の効果を検証する広告配信方法であって、
ユーザ端末が、当該ユーザ端末の位置を示す端末位置情報を求める端末位置算出ステップと、
前記ユーザ端末が、求めた端末位置情報に基づいて、ユーザが来店したか否かを判定する来店判定ステップと、
前記ユーザ端末が、ユーザが来店したと判定したことに基づいて、ユーザが来店したことを示す来店情報を、通信ネットワークを介して前記広告効果検証サーバに送信する来店情報送信ステップと、
広告の効果を検証する広告効果検証サーバが、前記ユーザ端末から受信した来店情報に基づいて、広告の効果を検証する広告効果検証ステップとを含む
ことを特徴とする広告配信方法。
【請求項１５】
ユーザ端末が、来店情報送信ステップで、当該ユーザ端末が位置の算出に用いる端末位置算出手段を特定可能な位置算出手段特定情報を含む来店情報を、通信ネットワークを介して広告効果検証サーバに送信し、
広告効果検証サーバが、前記ユーザ端末から受信した位置算出手段特定情報に基づいて、前記端末位置算出手段を用いた位置算出の信頼性を判定する信頼性判定ステップを含み、
前記広告効果検証サーバが、広告効果検証ステップで、前記端末位置算出手段を用いた位置算出の信頼性が高いと判定したことに基づいて、広告の効果を検証する
請求項１４記載の広告配信方法。
【請求項１６】
通信キャリアが運営する通信キャリアサーバが、端末位置情報を取得する端末位置取得ステップと、
前記通信キャリアサーバが、取得した端末位置情報に基づいて、ユーザが来店したか否かを判定するキャリア側来店判定ステップと、
前記通信キャリアサーバが、ユーザが来店したと判定したことに基づいて、ユーザが来店したことを示す来店情報を、通信ネットワークを介して広告効果検証サーバに送信するキャリア側来店情報送信ステップと、
前記広告効果検証サーバが、広告の効果の検証結果に基づいて、通信キャリアに対して支払う対価を算出するキャリア対価算出ステップとを含む
請求項１４又は請求項１５記載の広告配信方法。
【請求項１７】
広告情報を配信する広告配信サーバが、広告情報を仲介するアフィリエイト仲介者を識別するためのアフィリエイトＩＤを広告情報に付加するアフィリエイトＩＤ付加ステップと、
前記広告配信サーバが、アフィリエイトＩＤを付加した広告情報を、通信ネットワークを介して前記ユーザ端末に送信する広告情報送信ステップと、
アフィリエイト仲介者が使用するアフィリエイト端末が、前記広告配信サーバから受信した広告情報をユーザ端末に転送する広告情報転送ステップと、
前記ユーザ端末が、来店情報送信ステップで、前記アフィリエイト端末から受信した広告情報に付加されたアフィリエイトＩＤを含む来店情報を、通信ネットワークを介して広告効果検証サーバに送信し、
前記広告効果検証サーバが、広告効果検証ステップで、ユーザ端末からのアフィリエイトＩＤの受信回数を集計することによって、広告の効果を示す広告効果情報として、アフィリエイト仲介者の紹介によってユーザが実際に来店した実来店回数を含む情報を生成し、
前記広告効果検証サーバが、生成した広告効果情報に示される実来店回数に応じて、アフィリエイト仲介者に対して支払う対価を算出するアフィリエイト対価算出ステップを含む
請求項１４から請求項１６のうちのいずれか１項に記載の広告配信方法。
【請求項１８】
アフィリエイト端末が、当該アフィリエイト端末の位置を示すアフィリエイト端末位置情報を求めるアフィリエイト端末位置算出ステップと、
前記アフィリエイト端末が、求めたアフィリエイト端末位置情報に基づいて、アフィリエイト仲介者が来店したか否かを判定するアフィリエイト来店判定ステップと、
前記アフィリエイト端末が、アフィリエイト仲介者が来店したと判定したことに基づいて、アフィリエイト仲介者が来店したことを示すアフィリエイト来店情報を、通信ネットワークを介して広告効果検証サーバに送信するアフィリエイト来店情報送信ステップと、
前記広告効果検証サーバが、ユーザ端末から受信した来店情報と、前記アフィリエイト端末から受信したアフィリエイト端末情報とに基づいて、アフィリエイト仲介者とユーザとが同伴で来店したか否かを判定する同伴判定ステップとを含み、
前記広告効果検証サーバが、アフィリエイト対価算出ステップで、同伴で来店したか否かの判定結果に基づいて、アフィリエイト仲介者に対して支払う対価を算出する
請求項１７記載の広告配信方法。
【請求項１９】
広告情報を配信する広告配信システムにおける広告の効果を検証するための広告効果検証プログラムであって、
コンピュータに、
ユーザ端末から、前記ユーザ端末が位置の算出に用いる端末位置算出手段を特定可能な位置算出手段特定情報を含む来店情報を、通信ネットワークを介して受信する位置算出手段特定情報受信処理と、
受信した前記位置算出手段特定情報に基づいて、前記ユーザ端末による前記端末位置算出手段を用いた位置算出の信頼性を判定する信頼性判定処理と、
前記端末位置算出手段を用いた位置算出の信頼性が高いと判定したことに基づいて、広告の効果を検証する広告効果検証処理とを
実行させるための広告効果検証プログラム。
【請求項２０】
コンピュータに、
通信キャリアが運営する通信キャリアサーバから、ユーザが来店したことを示す来店情報を、通信ネットワークを介して受信するキャリア側来店情報受信処理と、
広告の効果の検証結果に基づいて、通信キャリアに対して支払う対価を算出するキャリア対価算出処理とを実行させる
請求項１９記載の広告効果検証プログラム。
【請求項２１】
コンピュータに、
ユーザ端末から、広告情報を仲介するアフィリエイト仲介者を識別するためのアフィリエイトＩＤを含む来店情報を、通信ネットワークを介して受信する来店情報受信処理を実行させ、
広告効果検証処理で、ユーザ端末からのアフィリエイトＩＤの受信回数を集計することによって、広告の効果を示す広告効果情報として、アフィリエイト仲介者の紹介によってユーザが実際に来店した実来店回数を含む情報を生成する処理を実行させ、
生成した広告効果情報に示される実来店回数に応じて、アフィリエイト仲介者に対して支払う対価を算出するアフィリエイト対価算出処理をさらに実行させる
請求項１９又は請求項２０記載の広告効果検証プログラム。
【請求項２２】
コンピュータに、
アフィリエイト仲介者が使用するアフィリエイト端末から、アフィリエイト仲介者が来店したことを示すアフィリエイト来店情報を、通信ネットワークを介して受信するアフィリエイト来店情報受信処理と、
ユーザ端末から受信した来店情報と、前記アフィリエイト端末から受信したアフィリエイト端末情報とに基づいて、アフィリエイト仲介者とユーザとが同伴で来店したか否かを判定する同伴判定処理とを実行させ、
アフィリエイト対価算出処理で、同伴で来店したか否かの判定結果に基づいて、アフィリエイト仲介者に対して支払う対価を算出する処理を実行させる
請求項２１記載の広告効果検証プログラム。
【請求項２３】
広告情報を配信するとともに広告の効果を検証する広告配信システムのユーザ端末が搭載するユーザ端末用プログラムであって、
コンピュータに、
前記ユーザ端末の位置を示す端末位置情報を求める端末位置算出処理と、
求めた前記端末位置情報に基づいて、ユーザが来店したか否かを判定する来店判定処理と、
ユーザが来店したと判定したことに基づいて、ユーザが来店したことを示す来店情報を、通信ネットワークを介して前記広告効果検証サーバに送信する来店情報送信処理とを
実行させるためのユーザ端末用プログラム。
【発明の詳細な説明】
【技術分野】
【０００１】
本発明は、広告情報を配信するとともに、ユーザが店舗を来店したか否かに基づいて広告の効果を検証する来店保証型の広告配信システム及び広告配信方法に関する。また、本発明は、ユーザが店舗を来店したか否かに基づいて広告の効果を検証する広告効果検証サーバ及び広告効果検証プログラムに関する。また、本発明は、広告配信システムが備えるユーザ端末、及びユーザ端末が搭載するユーザ端末用プログラムに関する。
【背景技術】
【０００２】
従来、インターネットを介してユーザの携帯端末に広告情報を配信し、広告情報の配信を受けたユーザが実際に店舗に来店した回数等に基づいて、広告主に対する広告料を設定するシステムが考案されている。例えば、特許文献１には、ユーザが店舗に来店した回数等に基づいて、ユーザに対してポイント加算を行うことが記載されている。
【特許文献１】特開２００２−１５０１１７号公報（段落００３３−００４８、図６−９）
【発明の開示】
【発明が解決しようとする課題】
【０００３】
図１４は、特許文献１等に記載された構成を用いた広告配信システムの構成例を示すブロック図である。図１４に示す例では、広告配信システムは、広告配信会社が運営する配信サーバ９１及び効果検証サーバ９２と、ユーザが使用するユーザ携帯端末９３とを含む。【０００４】
また、配信サーバ９１は、広告情報に広告ＩＤを付与する広告ＩＤ付与部９１１を含む。また、効果検証サーバ９２は、広告による効果を測定する広告効果測定部９２１と、ユーザに対してポイントを加算するポイント計算部９２２と、広告主に対する広告料を算出する広告料計算部９２３とを含む。また、店舗に設置される店舗端末等（例えば、ポイントカードリーダ）によって、ユーザが来店した旨の来店情報を入力する来店情報入力部９５１が店舗に設けられる。【０００５】
図１４に示す広告配信システムでは、配信サーバ９１は、広告主から提供された広告情報に対して、広告情報を識別するための広告ＩＤを付与し、広告ＩＤを付与した広告情報をユーザ携帯端末９３に配信する。次いで、広告情報を受け取ったユーザがユーザ携帯端末９３を持って店舗に来店すると、店舗の店員は、来店情報入力部９５１を操作して、店舗の関係者のみが知る店舗ＩＤを入力指示する。すると、来店情報入力部９５１は、店舗の店員の操作に従って、ユーザ携帯端末９３に対応するユーザＩＤと広告ＩＤとを、効果検証サーバ９２に送信する。【０００６】
効果検証サーバ９２の広告効果測定部９２１は、各広告情報あたりの店舗への来店回数を集計し、広告料計算部９２３は、集計結果に基づいて広告料を算出して広告主に請求する。また、ポイント計算部９２２は、ユーザ毎の店舗への来店回数を集計し、来店回数に応じてポイントを付与する。【０００７】
図１４に示す広告配信システムでは、店舗に来店したユーザに対して、来店回数等に基づいてポイントを還元するとともに、広告主に対して一広告に対する来店回数等に基づいて広告料を請求できる。しかし、店舗の店員が店舗端末等を用いて店舗ＩＤの入力操作を行わなければならず、店舗側の作業負担が大きい。また、広告配信サービスを提供するために店舗の店員を教育する必要が生じ、ユーザ数の増加に伴って店員の作業負担が増加する。【０００８】
そこで、本発明は、店舗側の負担を増加させることなく、広告情報を配信できるとともに広告の効果を検証できる広告配信システム、広告効果検証サーバ、ユーザ端末、広告配信方法、広告効果保証プログラム、及びユーザ端末用プログラムを提供することを目的とする。
【課題を解決するための手段】
【０００９】
本発明による広告配信システムは、広告情報を配信するとともに広告の効果を検証する広告配信システムであって、広告の効果を検証する広告効果検証サーバ（例えば、効果検証サーバ２）と、ユーザ端末（例えば、ユーザ携帯端末３）とを備え、ユーザ端末は、当該ユーザ端末の位置を示す端末位置情報を求める端末位置算出手段（例えば、センサ３２によって実現される）と、端末位置算出手段が求めた端末位置情報に基づいて、ユーザが来店したか否かを判定する来店判定手段（例えば、来店検出部３１によって実現される）と、来店判定手段によってユーザが来店したと判定されたことに基づいて、ユーザが来店したことを示す来店情報（例えば、ユーザＩＤ及び広告ＩＤ）を、通信ネットワークを介して広告効果検証サーバに送信する来店情報送信手段（例えば、来店検出部３１によって実現される）とを含み、広告効果検証サーバは、ユーザ端末から受信した来店情報に基づいて、広告の効果を検証する広告効果検証手段（例えば、広告効果測定部２１によって実現される）を含むことを特徴とする。【００１０】
また、広告配信システムは、広告情報を配信する広告配信サーバ（例えば、配信サーバ１）を備え、広告配信サーバは、広告情報に関する位置を示す広告位置情報を広告情報に付加する広告位置情報付加手段（例えば、位置情報付与部１２によって実現される）と、広告位置情報付加手段が広告位置情報を付加した広告情報を、通信ネットワークを介してユーザ端末に送信する広告情報送信手段（例えば、広告ＩＤ付与部１１によって実現される）とを含み、来店判定手段は、端末位置算出手段が求めた端末位置情報と、広告配信サーバから受信した広告情報に付加されている広告位置情報とに基づいて、ユーザが来店したか否かを判定するものであってもよい。【００１１】
また、広告配信システムにおいて、広告配信サーバは、広告情報を識別するための広告ＩＤを広告情報に付加する広告ＩＤ付加手段（例えば、広告ＩＤ付与部１１によって実現される）を含み、広告情報送信手段は、広告ＩＤ付加手段が広告ＩＤを付加した広告情報を、通信ネットワークを介してユーザ端末に送信し、来店情報送信手段は、広告配信サーバから受信した広告情報に付加された広告ＩＤを含む来店情報を、通信ネットワークを介して広告効果検証サーバに送信し、広告効果検証手段は、ユーザ端末からの広告ＩＤの受信回数を集計することによって、広告の効果を示す広告効果情報として、来店顧客数を含む情報を生成し、広告効果検証サーバは、広告効果検証手段が生成した広告効果情報に示される来店顧客数に応じて、広告主に対して請求する広告料を算出する広告料算出手段（例えば、広告料計算部２３によって実現される）を含むものであってもよい。【００１２】
また、広告配信システムにおいて、来店情報送信手段は、ユーザを識別するためのユーザＩＤを含む来店情報を、通信ネットワークを介して広告効果検証サーバに送信し、広告効果検証手段は、ユーザ端末からのユーザＩＤの受信回数を集計することによって、広告の効果を示す広告効果情報として、ユーザの来店回数を含む情報を生成し、広告効果検証サーバは、広告効果検証手段が生成した広告効果情報に示される来店回数に応じて、ユーザに対して付与するポイントを算出するポイント算出手段（例えば、ポイント計算部２２によって実現される）を含むものであってもよい。【００１３】
また、広告配信システムにおいて、来店情報送信手段は、端末位置算出手段を特定可能な位置算出手段特定情報（例えば、センサ情報）を含む来店情報を、通信ネットワークを介して広告効果検証サーバに送信し、広告効果検証サーバは、ユーザ端末から受信した位置算出手段特定情報に基づいて、端末位置算出手段を用いた位置算出の信頼性を判定する信頼性判定手段（例えば、行動検証部２１１によって実現される）を含み、広告効果検証手段は、信頼性判定手段によって端末位置算出手段を用いた位置算出の信頼性が高いと判定されたことに基づいて、広告の効果を検証するものであってもよい。【００１４】
また、広告配信システムは、通信キャリアが運営する通信キャリアサーバ（例えば、端末監視サーバ４）を備え、通信キャリアサーバは、端末位置情報を取得する端末位置取得手段（例えば、来店検出部４１によって実現される）と、端末位置取得手段が取得した端末位置情報に基づいて、ユーザが来店したか否かを判定するキャリア側来店判定手段（例えば、来店検出部４１によって実現される）と、キャリア側来店判定手段によってユーザが来店したと判定されたことに基づいて、ユーザが来店したことを示す来店情報を、通信ネットワークを介して広告効果検証サーバに送信するキャリア側来店情報送信手段（例えば、来店検出部４１によって実現される）とを含み、広告効果検証サーバは、広告効果検証手段の検証結果に基づいて、通信キャリアに対して支払う対価を算出するキャリア対価算出手段（例えば、位置検出対価計算部２４によって実現される）を含むものであってもよい。【００１５】
また、広告配信システムは、広告情報を配信する広告配信サーバ（例えば、配信サーバ１）と、広告情報を仲介するアフィリエイト仲介者（例えば、アフィリエイトユーザ）が使用するアフィリエイト端末（例えば、アフィリエイトユーザ端末５１，５２）とを備え、広告配信サーバは、アフィリエイト仲介者を識別するためのアフィリエイトＩＤを広告情報に付加するアフィリエイトＩＤ付加手段（例えば、アフィリエイトＩＤ付与部１４によって実現される）と、アフィリエイトＩＤ付加手段がアフィリエイトＩＤを付加した広告情報を、通信ネットワークを介してユーザ端末に送信する広告情報送信手段（例えば、アフィリエイトＩＤ付与部１４によって実現される）を含み、アフィリエイト端末は、広告配信サーバから受信した広告情報をユーザ端末に転送する広告情報転送手段（例えば、アフィリエイトユーザ端末５１，５２が備えるＣＰＵ及びネットワークインタフェース部によって実現される）を含み、来店情報送信手段は、アフィリエイト端末から受信した広告情報に付加されたアフィリエイトＩＤを含む来店情報を、通信ネットワークを介して広告効果検証サーバに送信し、広告効果検証手段は、ユーザ端末からのアフィリエイトＩＤの受信回数を集計することによって、広告の効果を示す広告効果情報として、アフィリエイト仲介者の紹介によってユーザが実際に来店した実来店回数を含む情報を生成し、広告効果検証サーバは、広告効果検証手段が生成した広告効果情報に示される実来店回数に応じて、アフィリエイト仲介者に対して支払う対価を算出するアフィリエイト対価算出手段（例えば、広告対価計算部２５によって実現される）を含むものであってもよい。【００１６】
また、広告配信システムにおいて、アフィリエイト端末は、当該アフィリエイト端末の位置を示すアフィリエイト端末位置情報を求めるアフィリエイト端末位置算出手段（例えば、来店検出部５１１，５１２によって実現される）と、アフィリエイト端末位置算出手段が求めたアフィリエイト端末位置情報に基づいて、アフィリエイト仲介者が来店したか否かを判定するアフィリエイト来店判定手段（例えば、来店検出部５１１，５１２によって実現される）と、アフィリエイト来店判定手段によってアフィリエイト仲介者が来店したと判定されたことに基づいて、アフィリエイト仲介者が来店したことを示すアフィリエイト来店情報を、通信ネットワークを介して広告効果検証サーバに送信するアフィリエイト来店情報送信手段（例えば、来店検出部５１１，５１２によって実現される）とを含み、広告効果検証サーバは、ユーザ端末から受信した来店情報と、アフィリエイト端末から受信したアフィリエイト端末情報とに基づいて、アフィリエイト仲介者とユーザとが同伴で来店したか否かを判定する同伴判定手段（例えば、同伴検出部２１２によって実現される）を含み、アフィリエイト対価算出手段は、同伴判定手段の判定結果に基づいて、アフィリエイト仲介者に対して支払う対価を算出するものであってもよい。【００１７】
本発明による広告効果検証サーバは、広告情報を配信する広告配信システムにおける広告の効果を検証する広告効果検証サーバ（例えば、効果検証サーバ２）であって、ユーザ端末から、ユーザ端末が位置の算出に用いる端末位置算出手段を特定可能な位置算出手段特定情報を含む来店情報を、通信ネットワークを介して受信する位置算出手段特定情報受信手段（例えば、広告効果測定部２１Ａによって実現される）と、位置算出手段特定情報受信手段が受信した位置算出手段特定情報に基づいて、ユーザ端末による端末位置算出手段を用いた位置算出の信頼性を判定する信頼性判定手段（例えば、行動検証部２１１によって実現される）と、信頼性判定手段によって端末位置算出手段を用いた位置算出の信頼性が高いと判定されたことに基づいて、広告の効果を検証する広告効果検証手段（例えば、広告効果測定部２１Ａによって実現される）とを備えたことを特徴とする。【００１８】
また、広告効果検証サーバは、通信キャリアが運営する通信キャリアサーバ（例えば、端末監視サーバ４）から、ユーザが来店したことを示す来店情報を、通信ネットワークを介して受信するキャリア側来店情報受信手段（例えば、広告効果測定部２１Ｂによって実現される）と、広告効果検証手段の検証結果に基づいて、通信キャリアに対して支払う対価を算出するキャリア対価算出手段（例えば、位置検出対価計算部２４によって実現される）とを備えたものであってもよい。【００１９】
また、広告効果検証サーバは、ユーザ端末から、広告情報を仲介するアフィリエイト仲介者を識別するためのアフィリエイトＩＤを含む来店情報を、通信ネットワークを介して受信する来店情報受信手段（例えば、広告効果測定部２１Ｃによって実現される）を備え、広告効果検証手段は、ユーザ端末からのアフィリエイトＩＤの受信回数を集計することによって、広告の効果を示す広告効果情報として、アフィリエイト仲介者の紹介によってユーザが実際に来店した実来店回数を含む情報を生成し、広告効果検証手段が生成した広告効果情報に示される実来店回数に応じて、アフィリエイト仲介者に対して支払う対価を算出するアフィリエイト対価算出手段をさらに備えたものであってもよい。【００２０】
また、広告効果検証サーバは、アフィリエイト仲介者が使用するアフィリエイト端末から、アフィリエイト仲介者が来店したことを示すアフィリエイト来店情報を、通信ネットワークを介して受信するアフィリエイト来店情報受信手段（例えば、広告効果測定部２１によって実現される）と、ユーザ端末から受信した来店情報と、アフィリエイト端末から受信したアフィリエイト端末情報とに基づいて、アフィリエイト仲介者とユーザとが同伴で来店したか否かを判定する同伴判定手段（例えば、同伴検出部２１２によって実現される）とを備え、アフィリエイト対価算出手段は、同伴判定手段の判定結果に基づいて、アフィリエイト仲介者に対して支払う対価を算出するものであってもよい。【００２１】
本発明による広告配信システムのユーザ端末は、広告情報を配信するとともに広告の効果を検証する広告配信システムのユーザ端末（例えば、ユーザ携帯端末３）であって、当該ユーザ端末の位置を示す端末位置情報を求める端末位置算出手段（例えば、センサ３２によって実現される）と、端末位置算出手段が求めた端末位置情報に基づいて、ユーザが来店したか否かを判定する来店判定手段（例えば、来店検出部３１によって実現される）と、来店判定手段によってユーザが来店したと判定されたことに基づいて、ユーザが来店したことを示す来店情報を、通信ネットワークを介して広告効果検証サーバに送信する来店情報送信手段（例えば、来店検出部３１によって実現される）とを備えたことを特徴とする。【００２２】
本発明による広告配信方法は、広告情報を配信するとともに広告の効果を検証する広告配信方法であって、ユーザ端末が、当該ユーザ端末の位置を示す端末位置情報を求める端末位置算出ステップと、ユーザ端末が、求めた端末位置情報に基づいて、ユーザが来店したか否かを判定する来店判定ステップと、ユーザ端末が、ユーザが来店したと判定したことに基づいて、ユーザが来店したことを示す来店情報を、通信ネットワークを介して広告効果検証サーバに送信する来店情報送信ステップと、広告の効果を検証する広告効果検証サーバが、ユーザ端末から受信した来店情報に基づいて、広告の効果を検証する広告効果検証ステップとを含むことを特徴とする。【００２３】
また、広告配信方法は、ユーザ端末が、来店情報送信ステップで、当該ユーザ端末が位置の算出に用いる端末位置算出手段を特定可能な位置算出手段特定情報を含む来店情報を、通信ネットワークを介して広告効果検証サーバに送信し、広告効果検証サーバが、ユーザ端末から受信した位置算出手段特定情報に基づいて、端末位置算出手段を用いた位置算出の信頼性を判定する信頼性判定ステップを含み、広告効果検証サーバが、広告効果検証ステップで、端末位置算出手段を用いた位置算出の信頼性が高いと判定したことに基づいて、広告の効果を検証するものであってもよい。【００２４】
また、広告配信方法は、通信キャリアが運営する通信キャリアサーバが、端末位置情報を取得する端末位置取得ステップと、通信キャリアサーバが、取得した端末位置情報に基づいて、ユーザが来店したか否かを判定するキャリア側来店判定ステップと、通信キャリアサーバが、ユーザが来店したと判定したことに基づいて、ユーザが来店したことを示す来店情報を、通信ネットワークを介して広告効果検証サーバに送信するキャリア側来店情報送信ステップと、広告効果検証サーバが、広告の効果の検証結果に基づいて、通信キャリアに対して支払う対価を算出するキャリア対価算出ステップとを含むものであってもよい。【００２５】
また、広告配信方法は、広告情報を配信する広告配信サーバが、広告情報を仲介するアフィリエイト仲介者を識別するためのアフィリエイトＩＤを広告情報に付加するアフィリエイトＩＤ付加ステップと、広告配信サーバが、アフィリエイトＩＤを付加した広告情報を、通信ネットワークを介してユーザ端末に送信する広告情報送信ステップと、アフィリエイト仲介者が使用するアフィリエイト端末が、広告配信サーバから受信した広告情報をユーザ端末に転送する広告情報転送ステップと、ユーザ端末が、来店情報送信ステップで、アフィリエイト端末から受信した広告情報に付加されたアフィリエイトＩＤを含む来店情報を、通信ネットワークを介して広告効果検証サーバに送信し、広告効果検証サーバが、広告効果検証ステップで、ユーザ端末からのアフィリエイトＩＤの受信回数を集計することによって、広告の効果を示す広告効果情報として、アフィリエイト仲介者の紹介によってユーザが実際に来店した実来店回数を含む情報を生成し、広告効果検証サーバが、生成した広告効果情報に示される実来店回数に応じて、アフィリエイト仲介者に対して支払う対価を算出するアフィリエイト対価算出ステップを含むものであってもよい。【００２６】
また、広告配信方法は、アフィリエイト端末が、当該アフィリエイト端末の位置を示すアフィリエイト端末位置情報を求めるアフィリエイト端末位置算出ステップと、アフィリエイト端末が、求めたアフィリエイト端末位置情報に基づいて、アフィリエイト仲介者が来店したか否かを判定するアフィリエイト来店判定ステップと、アフィリエイト端末が、アフィリエイト仲介者が来店したと判定したことに基づいて、アフィリエイト仲介者が来店したことを示すアフィリエイト来店情報を、通信ネットワークを介して広告効果検証サーバに送信するアフィリエイト来店情報送信ステップと、広告効果検証サーバが、ユーザ端末から受信した来店情報と、アフィリエイト端末から受信したアフィリエイト端末情報とに基づいて、アフィリエイト仲介者とユーザとが同伴で来店したか否かを判定する同伴判定ステップとを含み、広告効果検証サーバが、アフィリエイト対価算出ステップで、同伴で来店したか否かの判定結果に基づいて、アフィリエイト仲介者に対して支払う対価を算出するものであってもよい。【００２７】
本発明による広告効果検証プログラムは、広告情報を配信する広告配信システムにおける広告の効果を検証するための広告効果検証プログラムであって、コンピュータに、ユーザ端末から、ユーザ端末が位置の算出に用いる端末位置算出手段を特定可能な位置算出手段特定情報を含む来店情報を、通信ネットワークを介して受信する位置算出手段特定情報受信処理と、受信した位置算出手段特定情報に基づいて、ユーザ端末による端末位置算出手段を用いた位置算出の信頼性を判定する信頼性判定処理と、端末位置算出手段を用いた位置算出の信頼性が高いと判定したことに基づいて、広告の効果を検証する広告効果検証処理とを実行させるためのものである。【００２８】
また、広告効果検証プログラムは、コンピュータに、通信キャリアが運営する通信キャリアサーバから、ユーザが来店したことを示す来店情報を、通信ネットワークを介して受信するキャリア側来店情報受信処理と、広告の効果の検証結果に基づいて、通信キャリアに対して支払う対価を算出するキャリア対価算出処理とを実行させるためのものであってもよい。【００２９】
また、広告効果検証プログラムは、コンピュータに、ユーザ端末から、広告情報を仲介するアフィリエイト仲介者を識別するためのアフィリエイトＩＤを含む来店情報を、通信ネットワークを介して受信する来店情報受信処理を実行させ、広告効果検証処理で、ユーザ端末からのアフィリエイトＩＤの受信回数を集計することによって、広告の効果を示す広告効果情報として、アフィリエイト仲介者の紹介によってユーザが実際に来店した実来店回数を含む情報を生成する処理を実行させ、生成した広告効果情報に示される実来店回数に応じて、アフィリエイト仲介者に対して支払う対価を算出するアフィリエイト対価算出処理をさらに実行させるためのものであってもよい。【００３０】
また、広告効果検証プログラムは、コンピュータに、アフィリエイト仲介者が使用するアフィリエイト端末から、アフィリエイト仲介者が来店したことを示すアフィリエイト来店情報を、通信ネットワークを介して受信するアフィリエイト来店情報受信処理と、ユーザ端末から受信した来店情報と、アフィリエイト端末から受信したアフィリエイト端末情報とに基づいて、アフィリエイト仲介者とユーザとが同伴で来店したか否かを判定する同伴判定処理とを実行させ、アフィリエイト対価算出処理で、同伴で来店したか否かの判定結果に基づいて、アフィリエイト仲介者に対して支払う対価を算出する処理を実行させるためのものであってもよい。【００３１】
本発明によるユーザ端末用プログラムは、広告情報を配信するとともに広告の効果を検証する広告配信システムのユーザ端末が搭載するユーザ端末用プログラムであって、コンピュータに、ユーザ端末の位置を示す端末位置情報を求める端末位置算出処理と、求めた端末位置情報に基づいて、ユーザが来店したか否かを判定する来店判定処理と、ユーザが来店したと判定したことに基づいて、ユーザが来店したことを示す来店情報を、通信ネットワークを介して広告効果検証サーバに送信する来店情報送信処理とを実行させるためのものである。
【発明の効果】
【００３２】
本発明によれば、ユーザ端末が、端末位置情報に基づいてユーザが店舗に来店したか否かを自動検出し、ユーザの来店を検出すると来店情報を広告効果検証サーバに送信する。そして、広告効果検証サーバが、ユーザ端末から受信した来店情報に基づいて、広告情報を配信したことに対する広告の効果を検証する。そのため、ユーザの来店を検出するために、店員が特別の操作を行うことを不要とし、店舗にポイントカードリーダ等の店舗端末を設置する必要をなくすことができる。従って、店舗側の負担を増加させることなく、広告情報を配信できるとともに広告の効果を検証することができる。【００３３】
また、本発明によれば、ユーザ端末が、端末位置算出手段を特定可能な位置算出手段特定情報を含む来店情報を送信し、広告効果検証サーバが、位置算出手段特定情報に基づいて、端末位置算出手段による位置検出の信頼性を判定するように構成すれば、端末位置算出手段を不正に用いてポイントを取得しようとするような不正行為を防止することができる。【００３４】
また、本発明によれば、通信キャリアサーバが、ユーザが来店したか否かを判定し、来店情報を広告効果検証サーバに送信するように構成すれば、広告配信会社が、位置検出による情報提供の対価を通信キャリアに対して支払うという新しいビジネスモデルを実現することができる。【００３５】
また、本発明によれば、アフィリエイト仲介者が使用するアフィリエイト端末を備え、ユーザ端末が、アフィリエイトＩＤを含む来店情報を広告効果検証サーバに送信するように構成すれば、アフィリエイト転送者に対して、ユーザが店舗に実際に来店したことに応じて対価を支払う新たなビジネスモデルを実現することができる。また、アフィリエイトビジネスを実現するために、店員が特別の操作を行うことを不要とし、店舗にポイントカードリーダ等の店舗端末を設置する必要をなくすことができる。従って、店舗側の負担を増加させることなく、アフィリエイトビジネスを実現することができる。【００３６】
また、本発明によれば、アフィリエイト端末が、アフィリエイト端末位置情報に基づいてアフィリエイト仲介者が店舗に来店したか否かを自動検出し、広告効果検証サーバが、アフィリエイト仲介者とユーザとが同伴で来店したか否かを判定するように構成すれば、アフィリエイト仲介者とユーザとが同伴で来店した場合には、エンドユーザが単独で来店した場合よりも高く評価して、アフィリエイトユーザに対して対価を支払うビジネスモデルを実現することができる。また、アフィリエイトビジネスを実現するために、店員が特別の操作を行うことを不要とし、店舗にポイントカードリーダ等の店舗端末を設置する必要をなくすことができる。従って、店舗側の負担を増加させることなく、アフィリエイトビジネスを実現することができる。
【図面の簡単な説明】
【００３７】
【図１Ａ】本発明による来店保証型の広告配信システムの構成の一例を示すブロック図である。
【図１Ｂ】本発明による更に詳細な来店保証型の広告配信システムの構成の一例を示すブロック図である。
【図２Ａ】広告効果データベースが記憶する広告効果情報の例を示す説明図である。
【図２Ｂ】広告効果データベースが記憶する広告効果情報の例を示す説明図である。
【図３】広告配信システムが広告情報を配信するとともに広告の効果を検証する処理の一例を示すフローチャートである。
【図４】第２の実施の形態における来店保証型の広告配信システムの構成例を示すブロック図である。
【図５】第２の実施の形態における広告配信システムが広告情報を配信するとともに広告の効果を検証する処理例を示すフローチャートである。
【図６】第３の実施の形態における来店保証型の広告配信システムの構成例を示すブロック図である。
【図７】第３の実施の形態における広告配信システムが広告情報を配信するとともに広告の効果を検証する処理例を示すフローチャートである。
【図８】第４の実施の形態における来店保証型の広告配信システムの構成例を示すブロック図である。
【図９】広告効果データベースが記憶する広告効果情報の他の例を示す説明図である。
【図１０】第４の実施の形態における広告配信システムが広告情報を配信するとともに広告の効果を検証する処理例を示すフローチャートである。
【図１１】第５の実施の形態における来店保証型の広告配信システムの構成例を示すブロック図である。
【図１２】広告効果データベースが記憶する広告効果情報のさらに他の例を示す説明図である。
【図１３】第５の実施の形態における広告配信システムが広告情報を配信するとともに広告の効果を検証する処理例を示すフローチャートである。
【図１４】広告配信システムの構成例を示すブロック図である。
【符号の説明】
【００３８】
１  配信サーバ
２  効果検証サーバ
３  ユーザ携帯端末
４  端末監視サーバ
１１  広告ＩＤ付与部
１２  位置情報付与部
１３  広告配信情報送信部
１４  アフィリエイトＩＤ付与部
２１，２１Ａ，２１Ｂ，２１Ｃ  広告効果測定部
２２  ポイント計算部
２３  広告料計算部
２４  位置検出対価計算部
２５  広告対価計算部
２６，２６Ｂ，２６Ｃ，２６Ｄ  広告効果データベース
２７  センサ情報データベース
３１，３１Ａ  来店検出部
３２  センサ
３３  端末位置算出部
３４  来店情報送信部
４１  来店検出部
５１，５２  アフィリエイトユーザ端末
２１１  行動検証部
２１２  同伴検出部
５１１，５１２  来店検出部
【発明を実施するための最良の形態】
【００３９】
第１の実施の形態
以下、本発明の第１の実施の形態を図面を参照して説明する。図１Ａは、本発明による来店保証型の広告配信システムの構成の一例を示すブロック図である。この広告配信システムは、広告情報を配信するとともに広告の効果を検証する広告配信システムである。広告配信システムは、広告の効果を検証する効果検証サーバ２と、ユーザ携帯端末３とを備えている。ユーザ携帯端末３は、ユーザ携帯端末３の位置を示す端末位置情報を求める端末位置算出部３３と、端末位置算出部３３が求めた端末位置情報に基づいて、ユーザが来店したか否かを判定する来店検出部３１と、来店検出部３１によってユーザが来店したと判定されたことに基づいて、ユーザが来店したことを示す来店情報を、通信ネットワークを介して効果検証サーバ２に送信する来店情報送信部３４とを含む。端末位置算出部３３は、例えば、図１Ｂに示すセンサ３２である。効果検証サーバ２は、ユーザ携帯端末３から受信した来店情報に基づいて、広告の効果を検証する広告効果測定部２１を含む。図１Ｂは、本発明による来店保証型の更に詳細な広告配信システムの構成の一例を示すブロック図である。図１Ｂに示すように、広告配信システムは、配信サーバ１、効果検証サーバ２及びユーザ携帯端末３を含む。また、配信サーバ１、効果検証サーバ２及びユーザ携帯端末３は、インターネットや移動通信網等を含む通信ネットワークを介して接続される。【００４０】
配信サーバ１は、広告配信サービスを提供する広告配信会社が運営するサーバであり、具体的には、プログラムに従って動作するパーソナルコンピュータ等の情報処理装置によって実現される。なお、広告配信会社は、広告代理店であってもよく、広告配信サービスを提供可能な検索サイトを運営する事業者や通信キャリアであってもよい。図１Ｂに示すように、配信サーバ１は、広告ＩＤ付与部１１及び位置情報付与部１２を含む。【００４１】
広告ＩＤ付与部１１は、具体的には、プログラムに従って動作する情報処理装置のＣＰＵ及びネットワークインタフェース部によって実現される。広告ＩＤ付与部１１は、広告主から提供された各広告情報に対して、広告情報を識別するための広告ＩＤを付与する機能を備える。また、広告ＩＤ付与部１１は、付加情報として広告ＩＤを付与した広告情報を、通信ネットワークを介してユーザ端末３に送信する機能を備える。なお、本実施の形態では、広告ＩＤ付与部１１は、位置情報付与部１２によって位置情報を付与された広告情報をユーザ携帯端末３に送信する。【００４２】
位置情報付与部１２は、具体的には、プログラムに従って動作する情報処理装置のＣＰＵによって実現される。位置情報付与部１２は、各広告情報に対応する位置情報（例えば、広告対象の店舗の位置）を算出し、付加情報として広告情報に付与する機能を備える。以下、位置情報付与部１２が算出する各広告情報に対応する位置情報を広告位置情報ともいう。【００４３】
例えば、位置情報付与部１２は、予め広告情報とともに広告主から提供された広告位置情報を広告情報に付与する。また、例えば、位置情報付与部１２は、テキスト解析等を実行することによって広告情報から店舗の住所を示す文字列を広告位置情報として抽出する。【００４４】
なお、位置情報付与部１２は、店舗等の住所を示す情報をそのまま広告位置情報として付与してもよいし、緯度及び経度に変換して広告位置情報としてもよい。広告位置情報として緯度及び経度を算出する場合、位置情報付与部１２は、例えば、住所と緯度及び経度とを対応付けた対応テーブルを予めハードディスク装置等の記憶装置に記憶する。そして、広告情報からテキスト解析等を施すことによって抽出した住所を示す文字列に対応する緯度及び経度を対応テーブルから抽出し、抽出した緯度及び経度を広告位置情報として出力する。【００４５】
効果検証サーバ２は、広告配信会社が運営するサーバであり、具体的には、パーソナルコンピュータ等の情報処理装置によって実現される。図１Ｂに示すように、効果検証サーバ２は、広告効果測定部２１、広告効果データベース２６、ポイント計算部２２及び広告料計算部２３を含む。【００４６】
広告効果測定部２１は、具体的には、プログラムに従って動作する情報処理装置のＣＰＵ及びネットワークインタフェース部によって実現される。広告効果測定部２１は、ユーザを識別するためのユーザＩＤ及び広告ＩＤを、通信ネットワークを介してユーザ携帯端末３から受信する機能を備える。また、広告効果測定部２１は、受信したユーザＩＤ及び広告ＩＤに基づいて、広告情報を配信したことに対する広告の効果を測定する処理を実行する機能を備える。また、広告効果測定部２１は、広告効果の測定結果を示す広告効果情報を広告効果データベース２６に記憶させる機能を備える。【００４７】
具体的には、広告効果測定部２１は、広告ＩＤの受信回数を集計することによって、店舗に何人の顧客が来店したかを示すデータを広告効果情報として算出する。また、広告効果測定部２１は、ユーザＩＤの受信回数を集計することによって、ユーザの来店回数やユーザが来店した店舗数を広告効果情報として算出する。【００４８】
広告効果データベース２６は、具体的には、磁気ディスク装置や光ディスク装置等のデータベース装置によって実現される。広告効果データベース２６は、広告効果測定部２１が求めた広告効果情報を記憶する。図２Ａ、２Ｂは、広告効果データベース２６が記憶する広告効果情報の例を示す説明図である。広告効果データベース２６は、図２Ａに示すように、例えば、店舗への来店顧客数を広告ＩＤに対応付けて記憶する。また、広告効果データベース２６は、図２Ｂに示すように、例えば、ユーザの店舗への来店回数（来店店舗数）をユーザＩＤに対応付けて記憶する。【００４９】
ポイント計算部２２は、具体的には、プログラムに従って動作する情報処理装置のＣＰＵによって実現される。ポイント計算部２２は、広告効果データベース２６が記憶する広告効果情報に基づいて、ユーザに対して付与するポイントを算出する機能を備える。例えば、ポイント計算部２２は、広告効果情報に示されるユーザの店舗への来店回数（来店店舗数）に応じて、ユーザに対して付与するポイントを算出する。【００５０】
広告料計算部２３は、具体的には、プログラムに従って動作する情報処理装置のＣＰＵによって実現される。広告料計算部２３は、広告効果データベース２６が記憶する広告効果情報に基づいて、広告主に対して請求する広告料を算出する機能を備える。例えば、広告料計算部２３は、広告効果情報に示される店舗への来店顧客数に応じて、広告主に対して請求する広告料を算出する。【００５１】
なお、本実施の形態では、配信サーバ１と効果検証サーバ２とを別々のサーバとして実現する場合を示したが、配信サーバ１と効果検証サーバ２とを共通の情報処理装置を用いて実現してもよい。【００５２】
ユーザ携帯端末３は、ユーザが使用する端末であり、具体的には、プログラムに従って動作する携帯電話機等の携帯端末である。また、ユーザ携帯端末３は、ユーザが携帯可能な端末であれば、例えば、ＰＤＡ等の端末であってもよい。なお、図１Ｂでは、１つのユーザ携帯端末３を示しているが、広告配信システムは、複数のユーザ携帯端末３を含む。【００５３】
図１Ｂに示すように、ユーザ携帯端末３は、来店検出部３１及びセンサ３２を備える。なお、図１Ｂでは、ユーザ携帯端末３がセンサ３２を外付けで備える場合が示されているが、ユーザ携帯端末３は、センサ３２を内蔵していてもよい。【００５４】
センサ３２は、ユーザ携帯端末３の位置情報（例えば、緯度及び経度）を検出する機能を備える。以下、センサ３２が検出するユーザ携帯端末３の位置情報を端末位置情報ともいう。例えば、ユーザ携帯端末３がＧＰＳ機能を備える場合には、センサ３２は、ＧＰＳレシーバ及びユーザ携帯端末３のＣＰＵによって実現され、受信したＧＰＳ信号に基づいて端末位置情報を算出する。【００５５】
また、例えば、ユーザ携帯端末３が無線ＬＡＮへの接続機能を備える場合には、センサ３２は、無線ＬＡＮ用の送受信部及びユーザ携帯端末３のＣＰＵによって実現され、無線ＬＡＮのアクセスポイント（無線基地局）から受信する位置情報に基づいて端末位置情報を算出してもよい。また、例えば、センサ３２は、ユーザ携帯端末３が備える無線送受信部及びＣＰＵによって実現され、通信キャリアが提供する位置情報サービスを利用して、各無線基地局から位置情報を受信することによって端末位置情報を算出してもよい。また、例えば、センサ３２は、複数の無線基地局から、無線基地局を特定可能な情報（無線エリアを特定可能な無線エリア情報）を受信して、端末位置情報としてもよい。【００５６】
来店検出部３１は、具体的には、プログラムに従って動作する携帯端末のＣＰＵ及び送受信部によって実現される。来店検出部３１は、センサ３２が検出した端末位置情報に基づいて、ユーザが店舗に来店したか否かを判定する機能を備える。【００５７】
例えば、来店検出部３１は、広告ＩＤ及び広告位置情報（緯度及び経度）が付加された広告情報を、通信ネットワークを介して配信サーバ１から受信し、メモリ等の記憶部に記憶させる。また、来店検出部３１は、センサ３２から端末位置情報（緯度及び経度）を入力すると、入力した位置情報が記憶部に記憶する広告位置情報に合致するか否か（又は、所定距離以内の差であるか否か）を判断する。広告位置情報に合致すれば（又は、所定距離以内の差であれば）、来店検出部３１は、ユーザが店舗に来店したと判定する。【００５８】
また、例えば、来店検出部３１は、広告位置情報として店舗の住所を示す情報を記憶し、端末位置情報として複数の無線エリア情報を受信する場合には、住所と無線エリア情報の組合せとを対応付けた対応テーブルを予めメモリ等の記憶部に記憶してもよい。そして、例えば、来店検出部３１は、受信した無線エリア情報の組合せに対応する住所を対応テーブルから抽出し、抽出した住所が広告位置情報に示される住所と合致するか否かを判断することによって、ユーザが店舗に来店したか否かを判定してもよい。【００５９】
また、来店検出部３１は、ユーザが店舗に来店したと判定すると、ユーザＩＤ及び広告ＩＤを、通信ネットワークを介して効果検証サーバ２に送信する機能を備える。例えば、来店検出部３１は、ユーザＩＤ及び配信サーバ１から受信した広告情報をメモリ等の記憶部に記憶しており、ユーザが店舗に来店したと判定したことに基づいて、ユーザＩＤ及び広告情報に付加されている広告ＩＤを効果検証サーバ２に送信する。なお、来店検出部３１は、ユーザＩＤとして、ユーザ携帯端末３の端末番号や、ユーザの電子メールアドレス等を送信してもよい。【００６０】
また、例えば、ユーザ携帯端末３は、センサ３２として、ＲＦＩＤタグを添付してもよい。この場合、ユーザＩＤ及び配信サーバ１から受信した広告情報に付加されている広告ＩＤをＲＦＩＤタグに記憶させるようにし、店舗側にＲＦＩＤリーダを備えた店舗端末を備えるようにしてもよい。そして、店舗端末は、ユーザの読み取り操作に従って、ユーザ携帯端末３に添付されたＲＦＩＤタグからユーザＩＤ及び広告ＩＤを読み取り、読み取ったユーザＩＤ及び広告ＩＤを効果検証サーバ２に送信するようにしてもよい。【００６１】
なお、本実施の形態において、効果検証サーバ２の記憶装置（図示せず）は、広告情報配信に対する広告の効果を検証するための各種プログラムを記憶している。また、本実施の形態において、ユーザ携帯端末３の記憶部（図示せず）は、ユーザが店舗に来店したか否かを検出するための各種プログラムを記憶している。例えば、ユーザ携帯端末３の記憶部は、コンピュータに、ユーザ端末の位置を示す端末位置情報を求める端末位置算出処理と、求めた端末位置情報に基づいて、ユーザが来店したか否かを判定する来店判定処理と、ユーザが来店したと判定したことに基づいて、ユーザが来店したことを示す来店情報を、通信ネットワークを介して広告効果検証サーバに送信する来店情報送信処理とを実行させるための来店検出プログラムを記憶している。【００６２】
次に、動作について説明する。図３は、広告配信システムが広告情報を配信するとともに広告の効果を検証する処理の一例を示すフローチャートである。本実施の形態では、広告配信会社は、各広告主と予め契約を締結しており、各広告主は、ユーザに配信したい広告情報を予め広告配信会社に提供する。なお、広告主が運営する広告提供サーバを備えるようにし、広告提供サーバが、通信ネットワークを介して、配信対象の広告情報を配信サーバ１に送信するようにしてもよい。【００６３】
配信サーバ１は、提供された広告情報に対して、広告情報を一意に特定可能な広告ＩＤを付与するとともに、広告位置情報を付与する（ステップＳ１０１）。この場合、例えば、予め広告主から広告位置情報を提供されている場合には、配信サーバ１は、提供された広告位置情報を広告ＩＤとともに広告情報に付加する。また、例えば、配信サーバ１は、テキスト解析処理等を施すことによって広告情報から店舗の住所を示す文字列を抽出することによって広告位置情報を求め、広告情報に付加する。【００６４】
なお、配信サーバ１は、例えば、各広告主から提供された広告情報を蓄積する広告情報データベースを備える。広告情報データベースは、具体的には、磁気ディスク装置や光ディスク装置等のデータベース装置によって実現され、広告情報を、広告ＩＤ及び広告位置情報に対応付けて記憶する。【００６５】
次いで、配信サーバ１は、広告ＩＤ及び広告位置情報を付加した広告情報を、通信ネットワークを介してユーザ携帯端末３に送信する（ステップＳ１０２）。例えば、配信サーバ１は、電子メールを用いて、広告情報をユーザ携帯端末３に送信する。ユーザ携帯端末３は、広告情報を受信すると、受信した広告情報に基づいて、店舗等の広告内容を液晶表示部等の表示部に表示する。【００６６】
なお、ユーザ携帯端末３は、例えば、広告情報を受信した後に、ユーザの表示操作に従って、店舗等の広告内容を表示するようにしてもよい。また、例えば、ユーザ携帯端末３は、広告情報の所在を示すＵＲＬを含む電子メールを受信した場合には、ユーザのアクセス操作に従って、ＵＲＬで示されるＷｅｂサイトにアクセスすることによって、店舗等の広告内容をＷｅｂ情報として表示してもよい。【００６７】
また、ユーザ携帯端末３は、受信した広告ＩＤ及び広告位置情報が付加された広告情報を、メモリ等の記憶部に記憶する。【００６８】
ユーザは、ユーザ携帯端末３が表示する広告内容を確認し、広告に示される商品やサービスに関心がある場合には、ユーザ携帯端末３を所持して店舗に来店する。【００６９】
ユーザ携帯端末３は、所定のタイミングで、センサ３２を用いて端末位置情報を検出する。例えば、ユーザ携帯端末３は、所定時間毎に、センサ３２を用いて端末位置情報を検出している。また、例えば、ユーザ携帯端末３は、広告ＩＤ及び広告位置情報が付加された広告情報を受信したタイミングや、ユーザによって位置検出の指示操作が行われたタイミングで、端末位置情報を検出するようにしてもよい。【００７０】
ユーザ携帯端末３は、検出した端末位置情報及び広告情報に付加されている広告位置情報に基づいて、ユーザが店舗に来店したか否かを判定する（ステップＳ１０３）。例えば、ユーザ携帯端末３は、検出した端末位置情報が広告位置情報に合致する（又は、所定距離以内の差である）と判断すると、ユーザが店舗に来店したと判定する。ユーザが店舗に来店したと判定すると、ユーザ携帯端末３は、予めメモリ等の記憶部に記憶するユーザＩＤ、及び広告情報に付加されている広告ＩＤを抽出し、通信ネットワークを介して効果検証サーバ２に送信する（ステップＳ１０４）。【００７１】
効果検証サーバ２は、ユーザＩＤ及び広告ＩＤを受信すると、受信したユーザＩＤ及び広告ＩＤに基づいて、広告情報を配信したことに対する広告の効果を測定する処理を実行し、広告効果情報を生成する（ステップＳ１０５）。そして、効果検証サーバ２は、生成した広告効果情報を広告効果データベース２６に記憶させる。なお、効果検証サーバ２は、各ユーザ携帯端末３からユーザＩＤ及び広告ＩＤを受信する毎に、ステップＳ１０５の処理を繰り返し実行し、広告効果データベース２６が記憶する広告効果情報を随時更新する。【００７２】
また、効果検証サーバ２は、所定のタイミングで（例えば月末）、広告効果データベース２６が記憶する広告効果情報に基づいて、ユーザに対して付与するポイントを算出する（ステップＳ１０６）。例えば、効果検証サーバ２は、広告効果情報に示されるユーザの店舗への来店回数（来店店舗数）に応じて、ユーザに対して付与するポイントを算出する。【００７３】
なお、効果検証サーバ２は、例えば、算出したポイントを示すポイント情報を記憶するポイント情報データベースを備える。ポイント情報データベースは、具体的には、磁気ディスク装置や光ディスク装置等のデータベース装置によって実現され、ポイント情報をユーザＩＤに対応付けて記憶する。【００７４】
そして、広告配信会社は、算出したポイントをユーザに対して付与する。なお、効果検証サーバ２は、例えば、ポイント情報を、電子メール等を用いて、通信ネットワークを介してユーザ携帯端末３に送信してもよい。この場合、例えば、ユーザは、次回店舗に来店した時等に、ポイント情報を印刷して店員に提示したり、ユーザ携帯端末３の表示部に表示させて店員に提示することによって、割引サービス等の各種サービスを受けることができる。【００７５】
また、効果検証サーバ２は、所定のタイミングで（例えば月末）、広告効果データベース２６が記憶する広告効果情報に基づいて、広告主に対して請求する広告料を算出する（ステップＳ１０７）。例えば、効果検証サーバ２は、広告効果情報に示される店舗への来店顧客数に応じて、広告主に対して請求する広告料を算出する。【００７６】
なお、効果検証サーバ２は、例えば、算出した広告料を示す広告料情報を記憶する広告料情報データベースを備える。広告料情報データベースは、具体的には、磁気ディスク装置や光ディスク装置等のデータベース装置によって実現され、広告料情報を広告ＩＤに対応付けて記憶する。【００７７】
そして、広告配信会社は、算出した広告料を広告主に対して請求し、広告主は、請求に応じて広告料を広告配信会社に対して支払う。なお、効果検証サーバ２は、算出した広告料を請求する旨の請求情報を、電子メール等を用いて、通信ネットワークを介して広告主の端末等に送信してもよい。また、例えば、効果検証サーバ２は、算出した広告料に基づいて電子決済処理を行うことによって、広告料を電子決済してもよい。【００７８】
以上のように、本実施の形態によれば、ユーザ携帯端末３は、広告情報に付加された広告位置情報に基づいて、ユーザが店舗に来店したか否かを自動検出する。また、ユーザ携帯端末３は、ユーザの来店を検出すると、ユーザＩＤ及び広告ＩＤを効果検証サーバ２に送信する。そして、効果検証サーバ２は、ユーザ携帯端末３から受信したユーザＩＤ及び広告ＩＤに基づいて、広告情報を配信したことに対する広告の効果を測定する処理を実行する。そのため、ユーザの来店を検出するために、店員が特別の操作を行うことを不要とし、店舗にポイントカードリーダ等の店舗端末を設置する必要をなくすことができる。従って、店舗側の負担を増加させることなく、広告情報を配信できるとともに広告の効果を検証することができる。【００７９】
第２の実施の形態
次に、本発明の第２の実施の形態を図面を参照して説明する。図４は、第２の実施の形態における来店保証型の広告配信システムの構成例を示すブロック図である。図４に示すように、本実施の形態では、図１Ｂに示した構成要素に加えて、広告効果測定部２１Ａが行動検証部２１１を含み、効果検証サーバ２がセンサ情報データベース２７を含む点で、第１の実施の形態と異なる。また、本実施の形態では、来店検出部３１Ａの機能が、第１の実施の形態で示した来店検出部３１の機能と異なる。【００８０】
なお、行動検証部２１１を含む広告効果測定部２１Ａ、センサ情報データベース２７及び来店検出部３１Ａ以外の構成要素の機能は、第１の実施の形態で示したそれらの機能と同様である。【００８１】
センサ情報データベース２７は、具体的には、磁気ディスク装置や光ディスク装置等のデータベース装置によって実現される。本実施の形態では、各ユーザ携帯端末３が備えるセンサ３２のうち、故障しているものや不正改造されたもの（不正改造の疑いがあるものでもよい）がわかっている場合に、センサ情報データベース２７は、故障又は不正改造されたセンサ３２を示すセンサ情報を記憶する。なお、センサ情報データベース２７が記憶するセンサ情報は、例えば、ユーザからの申告等に応じて、広告配信会社によって登録される。【００８２】
広告効果測定部２１Ａは、第１の実施の形態で示した広告効果測定部２１の機能に加えて、ユーザＩＤ及び広告ＩＤとともに、ユーザ携帯端末３のセンサ３２を特定可能なセンサ情報を、通信ネットワークを介してユーザ携帯端末３から受信する機能を備える。また、広告効果測定部２１Ａは、行動検証部２１１によってユーザ携帯端末３の位置検出の信頼性が低いと判断されると、広告効果測定の処理を実行しないようにする機能を備える。【００８３】
行動検証部２１１は、具体的には、プログラムに従って動作する情報処理装置のＣＰＵによって実現される。行動検証部２１１は、ユーザ携帯端末３から受信したセンサ情報に基づいて、ユーザ携帯端末３のセンサ３２を用いた位置検出の信頼性を評価し、ポイント付与や広告料請求に値するか否かを検証する処理を実行する機能を備える。【００８４】
具体的には、行動検証部２１１は、センサ情報データベース２７が記憶するセンサ情報のうち、ユーザ携帯端末３から受信したセンサ情報に合致するものがあるか否かを判断する。合致するセンサ情報がなければ、行動検証部２１１は、ユーザ携帯端末３の位置検出の信頼性が高いと判断し、広告効果測定の処理を実行するように制御する。また、合致するセンサがあれば、行動検証部２１１は、ユーザ携帯端末３の位置検出の信頼性が低いと判断し、広告効果測定の処理を実行しないように制御する。【００８５】
来店検出部３１Ａは、第１の実施の形態で示した機能に加えて、ユーザＩＤ及び広告ＩＤとともに、センサ情報を、通信ネットワークを介して効果検証サーバ２に送信する機能を備える。【００８６】
例えば、来店検出部３１Ａは、センサ情報として、ユーザ携帯端末３が備えるセンサ３２を特定可能なセンサＩＤ（例えば、ＧＰＳレシーバや送受信部の製造番号）を、予めメモリ等の記憶部に記憶している。また、例えば、来店検出部３１Ａは、センサ情報として、センサ３２の属性を示す情報（例えば、センサ名称や、位置検出精度、分解能を示す情報）を、予めメモリ等の記憶部に記憶してもよい。来店検出部３１Ａは、ユーザが店舗に来店したと判定すると、ユーザＩＤ及び広告ＩＤとともに、センサ情報を記憶部から抽出し、効果検証サーバ２に送信する。【００８７】
なお、本実施の形態において、効果検証サーバ２の記憶装置は、第１の実施の形態と同様に、広告情報配信に対する広告の効果を検証するための各種プログラムを記憶している。例えば、効果検証サーバ２の記憶装置は、コンピュータに、ユーザ端末から、ユーザ端末が位置の算出に用いる端末位置算出手段を特定可能な位置算出手段特定情報を含む来店情報を、通信ネットワークを介して受信する位置算出手段特定情報受信処理と、受信した位置算出手段特定情報に基づいて、ユーザ端末による端末位置算出手段を用いた位置算出の信頼性を判定する信頼性判定処理と、端末位置算出手段を用いた位置算出の信頼性が高いと判定したことに基づいて、広告の効果を検証する広告効果検証処理とを実行させるための広告効果検証プログラムを記憶している。【００８８】
次に、動作について説明する。図５は、第２の実施の形態における広告配信システムが広告情報を配信するとともに広告の効果を検証する処理例を示すフローチャートである。図５において、ステップＳ２０１〜Ｓ２０３の処理は、第１の実施の形態で示したステップＳ１０１〜Ｓ１０３の処理と同様である。【００８９】
ユーザが店舗に来店したと判定すると、ユーザ携帯端末３は、予めメモリ等の記憶部に記憶するユーザＩＤ、広告情報に付加されている広告ＩＤ、及びセンサ情報を抽出し、通信ネットワークを介して効果検証サーバ２に送信する（ステップＳ２０４）。【００９０】
効果検証サーバ２は、ユーザＩＤ、広告ＩＤ及びセンサ情報を受信すると、受信したセンサ情報に基づいて、ユーザ携帯端末３のセンサ３２を用いた位置検出の信頼性が高いか否かを判断する（ステップＳ２０５）。【００９１】
ステップＳ２０５において、効果検証サーバ２は、センサ情報データベース２１Ｂが記憶するセンサ情報のうち、受信したセンサ情報に合致するものがあるか否かを判断する。合致するセンサ情報があると判断すると、効果検証サーバ２は、ユーザ携帯端末３のセンサ３２を用いた位置検出の信頼性が低いと判断し、ステップＳ２０６の処理に移行しないようにし、広告効果測定の処理を行わないように制御する。また、該当するセンサ情報がないと判断すると、効果検証サーバ２は、ユーザ携帯端末３のセンサ３２を用いた位置検出の信頼性が高いと判断し、ステップＳ２０６の広告効果測定の処理に移行する。【００９２】
以上の処理が実行されることによって、センサ３２が故障又は不正に改造されている等の情報がセンサ情報データベース２１Ｂに事前登録されている場合には、ユーザの来店回数や店舗への来店顧客数をカウントする処理を実行しないように制御する。【００９３】
なお、ステップＳ２０６〜Ｓ１０８の処理は、第１の実施の形態で示したステップＳ１０５〜Ｓ１０７の処理と同様である。【００９４】
以上のように、本実施の形態によれば、効果検証サーバ２の行動検証部２１１は、センサ情報に基づいて、ユーザ携帯端末３がセンサ３２を用いて検出した位置情報の信頼性を評価する。そして、効果検証サーバ２は、信頼性が低いと判断すると、広告効果測定の処理を行わないようにし、ポイント加算や広告料算出の基礎としないように制御する。従って、位置センサを不正に用いてポイントを取得しようとするような不正行為を防止することができる。【００９５】
第３の実施の形態
次に、本発明の第３の実施の形態を図面を参照して説明する。図６は、第３の実施の形態における来店保証型の広告配信システムの構成例を示すブロック図である。図６に示すように、本実施の形態では、図１Ｂに示した構成要素に加えて、広告配信システムが端末監視サーバ４を含む点で、第１の実施の形態と異なる。また、図１Ｂに示した構成要素に加えて、配信サーバ１が広告配信情報送信部１３を含む点で、第１の実施の形態と異なる。また、図１Ｂに示した構成要素に加えて、効果検証サーバ２が位置検出対価計算部２４を含む点で、第１の実施の形態と異なる。【００９６】
また、本実施の形態では、広告効果測定部２１Ｂの機能が、第１の実施の形態で示した広告効果測定部２１の機能と異なる。また、広告効果データベース２６Ｂが記憶する情報が、第１の実施の形態で示した広告効果データベース２６が記憶する情報と異なる。【００９７】
なお、端末監視サーバ４、広告配信情報送信部１３、広告効果測定部２１Ｂ、位置検出対価計算部２４及び広告効果データベース２６Ｂ以外の構成要素の機能は、第１の実施の形態で示したそれらの機能と同様である。【００９８】
端末監視サーバ４は、通信キャリアが運営するサーバであり、具体的には、プログラムに従って動作するパーソナルコンピュータ等の情報処理装置によって実現される。図６に示すように、端末監視サーバ４は、来店検出部４１を含む。【００９９】
来店検出部４１は、具体的には、プログラムに従って動作する情報処理装置のＣＰＵ及びネットワークインタフェース部によって実現される。来店検出部４１は、ユーザ携帯端末３の端末位置情報に基づいて、ユーザが店舗に来店したか否かを判定する機能を備える。【０１００】
例えば、来店検出部４１は、広告情報を配信したユーザのユーザＩＤ、広告情報に付加された広告ＩＤ及び広告位置情報を、通信ネットワークを介して配信サーバ１から受信し、ハードディスク装置等の記憶装置に記憶させる。また、来店検出部４１は、端末位置情報を取得し、取得した位置情報が記憶装置に記憶する広告位置情報に合致するか否か（又は、所定距離以内の差であるか否か）を判断する。広告位置情報に合致すれば（又は、所定距離以内の差であれば）、来店検出部４１は、ユーザが店舗に来店したと判定する。【０１０１】
例えば、ユーザ携帯端末３がＧＰＳ機能を備える場合には、来店検出部４１は、所定時間毎に、ユーザ携帯端末３が求めた端末位置情報（緯度及び経度）をユーザＩＤとともに、ユーザ携帯端末３から受信してもよい。そして、来店検出部４１は、受信した端末位置情報が予め記憶する広告位置情報と合致するか否か（又は、所定距離以内の差であるか否か）を判断することによって、ユーザが店舗に来店したか否かを判定してもよい。【０１０２】
また、例えば、来店検出部４１は、所定時間毎に、各無線基地局の位置登録機能を利用して、ユーザ携帯端末３が接続可能な複数の無線基地局（無線エリア）を検出するようにしてもよい。この場合、例えば、来店検出部４１は、位置情報（住所又は緯度／経度）と無線エリア情報の組合せとを対応付けた対応テーブルを予めハードディスク装置等の記憶装置に記憶する。そして、来店検出部４１は、検出した無線エリア情報の組合せに対応する位置情報を対応テーブルから抽出することによって、ユーザ携帯端末３の位置を推定し、端末位置情報を求めてもよい。【０１０３】
また、例えば、端末監視サーバ４を運営する通信キャリアが、ホットスポットサービスを提供している場合には、来店検出部４１は、ユーザ携帯端末３がいずれの無線ＬＡＮのアクセスポイントに接続されているかを検出することによって、ユーザ携帯端末３の位置を推定し、端末位置情報を求めてもよい。【０１０４】
また、来店検出部４１は、ユーザが店舗に来店したと判定すると、ユーザＩＤ及び広告ＩＤを、通信ネットワークを介して効果検証サーバ２に送信する機能を備える。【０１０５】
広告効果測定部２１Ｂは、第１の実施の形態で示した広告効果測定部２１の機能に加えて、ユーザＩＤ及び広告ＩＤの受信回数を集計することによって、端末監視サーバ４がユーザ携帯端末３の位置検出を行った回数（すなわち、ユーザが店舗に来店したことを検出した回数）を示すデータを広告効果情報として算出する機能を備える。【０１０６】
広告効果データベース２６Ｂは、第１の実施の形態で示した店舗への来店顧客数やユーザの店舗への来店回数（来店店舗数）に加えて、広告効果情報として、広告効果測定部２１Ｂが算出した位置検出回数を記憶する。【０１０７】
位置検出対価計算部２４は、具体的には、プログラムに従って動作する情報処理装置のＣＰＵによって実現される。位置検出対価計算部２４は、広告効果データベース２６Ｂが記憶する広告効果情報に基づいて、通信キャリアに支払う位置検出処理に対する対価（以下、位置検出対価という）を算出する機能を備える。例えば、位置検出対価計算部２４は、広告効果情報に示される位置検出回数に応じて、通信キャリアに支払う位置検出対価を算出する。【０１０８】
なお、効果検証サーバ２は、第２の実施の形態と同様に、行動検証部２１１及びセンサ情報データベース２７も備えてもよい。そして、効果検証サーバ２は、ユーザ携帯端末３から端末監視サーバ４を経由してセンサ情報を受信し、受信したセンサ情報及びセンサ情報データベース２７が記憶するセンサ情報に基づいて、ユーザ携帯端末３の位置検出の信頼性が高いか否かを判定し、信頼性が低い場合には広告効果測定の処理を行わないように制御してもよい。【０１０９】
広告配信情報送信部１３は、具体的には、プログラムに従って動作する情報処理装置のＣＰＵ及びネットワークインタフェース部によって実現される。広告配信情報送信部１３は、広告情報を配信したユーザのユーザＩＤ、広告情報に付加された広告ＩＤ及び広告位置情報を、通信ネットワークを介して端末監視サーバ４に送信する機能を備える。【０１１０】
次に、動作について説明する。図７は、第３の実施の形態における広告配信システムが広告情報を配信するとともに広告の効果を検証する処理例を示すフローチャートである。なお、本実施の形態では、広告配信外車は、各広告主と予め契約を締結しているとともに、ユーザ携帯端末３の位置検出処理を行うことについて、予め通信キャリアを契約を締結している。また、図７において、ステップＳ３０１，Ｓ３０２の処理は、第１の実施の形態で示したステップＳ１０１，Ｓ１０２の処理と同様である。【０１１１】
広告情報を配信すると、配信サーバ１は、広告情報を配信したユーザ携帯端末３のユーザのユーザＩＤと、配信した広告情報に付加された広告ＩＤ及び広告位置情報とを、通信ネットワークを介して端末監視サーバ４に送信する（ステップＳ３０３）。また、端末監視サーバ４は、受信したユーザＩＤ、広告ＩＤ及び広告位置情報を、ハードディスク装置等の記憶装置に記憶する。【０１１２】
次いで、ユーザ携帯端末３は、例えば、ＧＰＳ機能を備える場合には、所定時間毎に、端末位置情報を算出して、通信ネットワークを介して端末監視サーバ４に送信する（ステップＳ３０４）。そして、端末監視サーバ４は、ユーザ携帯端末３から受信した端末位置情報に基づいて、ユーザが店舗に来店したか否かを判定する（ステップＳ３０５）。なお、端末監視サーバ４は、ユーザ携帯端末３から端末位置情報を受信するのではなく、各無線基地局からの情報に基づいて端末位置情報を求め、求めた端末位置情報に基づいて、ユーザが店舗に来店したか否かを判定してもよい。【０１１３】
ユーザが店舗に来店したと判定すると、端末監視サーバ４は、ハードディスク装置等の記憶装置に記憶するユーザＩＤ及び広告ＩＤを抽出し、通信ネットワークを介して効果検証サーバ２に送信する（ステップＳ３０６）。【０１１４】
効果検証サーバ２は、ユーザＩＤ及び広告ＩＤを受信すると、受信したユーザＩＤ及び広告ＩＤに基づいて、広告効果情報を生成する（ステップＳ３０７）。この場合、効果検証サーバ２は、第１の実施の形態で示した店舗への来店顧客数やユーザの店舗への来店回数（来店店舗数）に加えて、位置検出回数を広告効果情報として生成する。そして、効果検証サーバ２は、生成した広告効果情報を広告効果データベース２６Ｂに記憶する。【０１１５】
ステップＳ３０８，Ｓ３０９の処理は、第１の実施の形態で示したステップＳ１０６，Ｓ１０７の処理と同様である。【０１１６】
次いで、効果検証サーバ２は、広告効果データベース２６Ｂが記憶する広告効果情報に基づいて、通信キャリアに支払う位置検出対価を算出する（ステップＳ３１０）。例えば、効果検証サーバ２は、広告効果情報に示される位置検出回数に応じて、通信キャリアに支払う位置検出対価を算出する。【０１１７】
なお、効果検証サーバ２は、例えば、位置検出対価情報データベース（具体的には、磁気ディスク装置や光ディスク装置等のデータベース装置によって実現される）を備え、算出した位置検出対価を示す位置検出対価情報を位置検出対価情報データベースに記憶する。【０１１８】
そして、広告配信会社は、算出した位置検出対価を通信キャリアに対して支払う。なお、例えば、端末監視サーバ４が電子決済機能を備える場合には、効果検証サーバ２は、算出した位置検出対価を含む決済情報を、通信ネットワークを介して端末監視サーバ４に送信することによって、電子決済によって位置検出対価を支払ってもよい。【０１１９】
以上のように、本実施の形態によれば、ユーザ携帯端末３の位置情報を管理する通信キャリアが運営する端末監視サーバ４が、ユーザが来店したか否かを判定し、店舗に来店した旨の情報を広告配信会社が運営する効果検証サーバ２に対して提供する。そして、広告配信会社が、位置検出による情報提供の対価を通信キャリアに対して支払うという新しいビジネスモデルを実現することができる。【０１２０】
第４の実施の形態
次に、本発明の第４の実施の形態を図面を参照して説明する。図８は、第４の実施の形態における来店保証型の広告配信システムの構成例を示すブロック図である。本実施の形態では、広告配信会社の配信サーバ１は、広告情報をユーザ（エンドユーザ）のユーザ携帯端末３に直接配信するのではなく、広告情報を仲介するアフィリエイトユーザの端末に配信する。そして、アフィリエイトユーザの端末からユーザ携帯端末３に対して広告情報が転送される。【０１２１】
図８に示すように、本実施の形態では、図１Ｂに示した構成要素に加えて、広告配信システムがアフィリエイトユーザ端末５１，５２を含む点で、第１の実施の形態と異なる。また、図１Ｂに示した構成要素に加えて、配信サーバ１がアフィリエイトＩＤ付与部１４を含む点で、第１の実施の形態と異なる。また、図１Ｂに示した構成要素に加えて、効果検証サーバ２が広告対価計算部２５を含む点で、第１の実施の形態と異なる。【０１２２】
また、本実施の形態では、広告効果測定部２１Ｃの機能が、第１の実施の形態で示した広告効果測定部２１の機能と異なる。また、広告効果データベース２６Ｃが記憶する情報が、第１の実施の形態で示した広告効果データベース２６が記憶する情報と異なる。【０１２３】
なお、アフィリエイトユーザ端末５１，５２、アフィリエイトＩＤ付与部１４、広告効果測定部２１Ｃ、広告対価計算部２５及び広告効果データベース２６Ｃ以外の構成要素の機能は、第１の実施の形態で示したそれらの機能と同様である。【０１２４】
アフィリエイトＩＤ付与部１４は、具体的には、プログラムに従って動作する情報処理装置のＣＰＵ及びネットワークインタフェース部によって実現される。アフィリエイトＩＤ付与部１４は、アフィリエイトユーザに対して、アフィリエイトユーザを識別するためのアフィリエイトＩＤを付与する機能を備える。また、アフィリエイトＩＤ付与部１４は、広告ＩＤ及び広告位置情報が付加された広告情報に対して、さらにアフィリエイトＩＤを付加する機能を備える。また、アフィリエイトＩＤ付与部１４は、アフィリエイトＩＤ、広告ＩＤ及び広告位置情報が付加された広告情報を、通信ネットワークを介してアフィリエイトユーザ端末５１，５２に送信する機能を備える。【０１２５】
アフィリエイトユーザ端末５１，５２は、アフィリエイトユーザが使用する端末であり、具体的には、プログラムに従って動作する携帯電話機等の携帯端末である。また、アフィリエイトユーザ端末５１，５２は、アフィリエイトユーザが携帯可能な端末であれば、例えば、ＰＤＡ等の端末であってもよい。なお、図８では、２つのアフィリエイトユーザ端末５１，５２を示しているが、広告配信システムは、２つに限らず、例えば、３以上のアフィリエイトユーザ端末を含んでもよい。【０１２６】
アフィリエイトユーザ端末５１，５２は、アフィリエイトＩＤ、広告ＩＤ及び広告位置情報が付加された広告情報を、通信ネットワークを介して、配信サーバ１から受信する機能を備える。また、アフィリエイトユーザ端末５１，５２は、受信したアフィリエイトＩＤ、広告ＩＤ及び広告位置情報が付加された広告情報を、通信ネットワークを介して、ユーザ携帯端末３に転送する機能を備える。【０１２７】
広告効果測定部２１Ｃは、第１の実施の形態で示した広告効果測定部２１の機能に加えて、アフィリエイトＩＤ、ユーザＩＤ及び広告ＩＤを、通信ネットワークを介してユーザ携帯端末３から受信する機能を備える。また、広告効果測定部２１Ｃは、アフィリエイトＩＤの受信回数を集計することによって、アフィリエイトユーザ毎に、ユーザ（エンドユーザ）が実際に店舗に来店した回数（以下、実来店回数ともいう）を広告効果情報として算出する機能を備える。【０１２８】
また、例えば、広告効果測定部２１Ｃは、アフィリエイトユーザ端末５１，５２に対して広告情報を配信した回数（以下、広告配信回数ともいう）を配信サーバ１から取得（受信）するようにしてもよい。そして、広告効果測定部２１Ｃは、例えば、実来店回数を広告配信回数で除算することによって、アフィリエイトユーザに広告情報を配信した回数に対して実際にユーザ（エンドユーザ）が店舗を来店した確率（以下、ヒット率ともいう）を広告効果情報として算出してもよい。【０１２９】
広告効果データベース２６Ｃは、第１の実施の形態で示した店舗への来店顧客数やユーザの店舗への来店回数（来店店舗数）に加えて、広告効果情報として、広告効果測定部２１Ｂが算出した実来店回数やヒット率を記憶する。例えば、広告効果データベース２６Ｃは、図９に示すように、実来店回数（又はヒット率）をアフィリエイトＩＤに対応付けて記憶する。【０１３０】
広告対価計算部２５は、具体的には、プログラムに従って動作する情報処理装置のＣＰＵによって実現される。広告対価計算部２５は、広告効果データベース２６Ｃが記憶する広告効果情報に基づいて、アフィリエイトユーザに支払う広告情報転送に対する対価（以下、広告転送対価という）を算出する機能を備える。例えば、広告対価計算部２５は、広告効果情報に示される実来店回数やヒット率に応じて、アフィリエイトユーザに支払う広告転送対価を算出する。なお、広告対価計算部２５は、アフィリエイトユーザに対して付与するポイントを算出してもよい。【０１３１】
次に、動作について説明する。図１０は、第４の実施の形態における広告配信システムが広告情報を配信するとともに広告の効果を検証する処理例を示すフローチャートである。配信サーバ１は、提供された広告情報に対して、広告ＩＤ及び広告位置情報を付与するとともに、アフィリエイトＩＤを付与する（ステップＳ４０１）。なお、この場合、配信サーバ１は、広告情報を、広告ＩＤ及び広告位置情報に加えてアフィリエイトＩＤに対応付けて、広告情報データベースに記憶する。【０１３２】
次いで、配信サーバ１は、広告ＩＤ、広告位置情報及びアフィリエイトＩＤを付加した広告情報を、通信ネットワークを介してアフィリエイトユーザ端末５１，５２に送信する（ステップＳ４０２）。アフィリエイトユーザ端末５１，５２は、広告情報を受信すると、受信した広告情報に基づいて、店舗等の広告内容を液晶表示部等の表示部に表示する。また、アフィリエイトユーザ端末５１，５２は、受信した広告ＩＤ、広告位置情報及びアフィリエイトＩＤが付加された広告情報を、メモリ等の記憶部に記憶する。【０１３３】
なお、各アフィリエイトユーザは、広告配信会社と広告情報の転送について契約（以下、アフィリエイト契約ともいう）を予め締結し、配信サーバ１は、予めアフィリエイトユーザとして登録した端末に対して広告情報を配信してもよい。また、予めアフィリエイト契約を行うのではなく、配信サーバ１は、例えば、広告配信サービスにユーザ登録しているユーザに対して無作為にアフィリエイトＩＤを付与して、広告情報を送信してもよい。【０１３４】
アフィリエイトユーザは、アフィリエイトユーザ端末５１，５２が表示する広告内容を確認し、知人で広告に示される商品やサービスに関心がありそうなエンドユーザに対する広告情報の転送操作を行う。アフィリエイトユーザ端末５１，５２は、アフィリエイトユーザの操作に従って、広告ＩＤ、広告位置情報及びアフィリエイトＩＤが付加された広告情報を、通信ネットワークを介してユーザ携帯端末３に転送する（ステップＳ４０３）。【０１３５】
なお、ステップＳ４０３において、アフィリエイトユーザ端末５１，５２は、例えば、電子メールを用いて広告情報をユーザ携帯端末３に転送してもよい。また、アフィリエイトユーザ端末５１，５２は、例えば、ＩｒＤＡを用いた赤外線通信により広告情報を転送してもよいし、ＢｌｕｅｔｏｏｔｈやＦｅｌｉｃａ（登録商標）、ＮＦＣ（Near Field Communication）を用いた無線通信により広告情報を転送してもよい。【０１３６】
ユーザ携帯端末３は、第１の実施の形態で示したステップＳ１０３と同様の処理に従って、所定のタイミングで、センサ３２を用いて端末位置情報を検出し、検出した端末位置情報及び広告情報に付加されている広告位置情報に基づいて、ユーザが店舗に来店したか否かを判定する（ステップＳ４０４）。ユーザが店舗に来店したと判定すると、ユーザ携帯端末３は、予めメモリ等の記憶部に記憶するユーザＩＤ、及び広告情報に付加されている広告ＩＤ及びアフィリエイトＩＤを抽出し、通信ネットワークを介して効果検証サーバ２に送信する（ステップＳ４０５）。【０１３７】
効果検証サーバ２は、ユーザＩＤ、広告ＩＤ及びアフィリエイトＩＤを受信すると、受信したユーザＩＤ、広告ＩＤ及びアフィリエイトＩＤに基づいて、広告情報を配信したことに対する広告の効果を測定する処理を実行し、広告効果情報を生成する（ステップＳ４０６）。この場合、効果検証サーバ２は、第１の実施の形態で示した店舗への来店顧客数やユーザの店舗への来店回数（来店店舗数）に加えて、実来店回数やヒット率を広告効果情報として生成する。そして、効果検証サーバ２は、生成した広告効果情報を広告効果データベース２６Ｃに記憶する。【０１３８】
ステップＳ４０７，Ｓ４０８の処理は、第１の実施の形態で示したステップＳ１０６，Ｓ１０７の処理と同様である。【０１３９】
次いで、効果検証サーバ２は、広告効果データベース２６Ｃが記憶する広告効果情報に基づいて、アフィリエイトユーザ毎に、アフィリエイトユーザに支払う広告転送対価を算出する（ステップＳ４０９）。例えば、効果検証サーバ２は、広告効果情報に示される実来店回数やヒット率に応じて、アフィリエイトユーザに支払う広告転送対価を算出する。なお、効果検証サーバ２は、広告のジャンル毎に広告転送対価を算出するようにしてもよい。【０１４０】
なお、効果検証サーバ２は、例えば、広告転送対価情報データベース（具体的には、磁気ディスク装置や光ディスク装置等のデータベース装置によって実現される）を備え、算出した広告転送対価を示す広告転送対価情報を広告転送対価情報データベースに記憶する。【０１４１】
そして、広告配信会社は、算出した広告転送対価をアフィリエイトユーザに対して支払う。なお、例えば、効果検証サーバ２は、算出した広告転送対価に基づいて、電子マネー等を用いて広告転送対価を支払ってもよい。【０１４２】
以上のように、本実施の形態によれば、広告情報の転送を行うアフィリエイトユーザに対して、エンドユーザが店舗に実際に来店したことに応じて対価を支払う新たなビジネスモデルを実現することができる。また、アフィリエイトビジネスを実現するために、店員が特別の操作を行うことを不要とし、店舗にポイントカードリーダ等の店舗端末を設置する必要をなくすことができる。従って、店舗側の負担を増加させることなく、アフィリエイトビジネスを実現することができる。【０１４３】
第５の実施の形態
次に、本発明の第５の実施の形態を図面を参照して説明する。図１１は、第５の実施の形態における来店保証型の広告配信システムの構成例を示すブロック図である。本実施の形態では、第４の実施の形態と同様に、配信サーバ１は、エンドユーザのユーザ携帯端末３に直接配信するのではなく、まずアフィリエイトユーザの端末に配信し、エンドユーザのユーザ携帯端末３に対して広告情報が転送される。【０１４４】
図１１に示すように、本実施の形態では、図８に示した構成要素に加えて、アフィリエイトユーザ端末５１，５２がそれぞれ来店検出部５１１，５１２を含む点で、第４の実施の形態と異なる。また、図８に示した構成要素に加えて、広告効果測定部２１が同伴検出部２１２を含む点で、第４の実施の形態と異なる。【０１４５】
また、本実施の形態では、広告対価計算部２５Ｄの機能が、第４の実施の形態で示した広告対価計算部２５の機能と異なる。また、広告効果データベース２６Ｄが記憶する情報が、第４の実施の形態で示した広告効果データベース２６Ｃが記憶する情報と異なる。【０１４６】
来店検出部５１１，５１２は、具体的には、プログラムに従って動作する携帯端末のＣＰＵ及び送受信部によって実現される。来店検出部５１１，５１２は、アフィリエイトユーザ端末５１，５２の位置情報（例えば、緯度及び経度）を検出する機能を備える。以下、来店検出部５１１，５１２が検出するアフィリエイトユーザ端末５１，５２の位置情報をアフィリエイト端末位置情報ともいう。【０１４７】
例えば、来店検出部５１１，５１２は、ユーザ携帯端末３と同様にセンサ（例えば、ＧＰＳレシーバや送受信部）を備え、ユーザ携帯端末３のセンサ３２と同様の処理に従って、アフィリエイト端末情報を求める。【０１４８】
また、来店検出部５１１，５１２は、アフィリエイト端末位置情報に基づいて、ユーザ携帯端末３の来店検出部３１と同様の処理に従って、アフィリエイトユーザが店舗に来店したか否かを判定する機能を備える。また、来店検出部５１１，５１２は、アフィリエイトユーザが店舗に来店したと判定すると、ユーザＩＤ、広告ＩＤ及びアフィリエイトＩＤを、通信ネットワークを介して効果検証サーバ２に送信する機能を備える。【０１４９】
同伴検出部２１２は、具体的には、プログラムに従って動作する情報処理装置のＣＰＵ及びネットワークインタフェース部によって実現される。同伴検出部２１２は、アフィリエイトユーザ端末５１，５２から受信したユーザＩＤ、広告ＩＤ及びアフィリエイトＩＤと、ユーザ携帯端末３から受信したユーザＩＤ、広告ＩＤ及びアフィリエイトＩＤとに基づいて、エンドユーザとアフィリエイトユーザとが同伴で店舗に来店したか否かを判定する機能を備える。【０１５０】
具体的には、同伴検出部２１２は、アフィリエイトユーザ端末５１，５２からユーザＩＤ、広告ＩＤ及びアフィリエイトＩＤを受信したタイミングと、同じユーザＩＤ、広告ＩＤ及びアフィリエイトＩＤをユーザ携帯端末３から受信したタイミングとが同じタイミングか否か（又は所定時間以内であるか否か）を判断する。同じタイミングである（又は所定の時間以内である）と判断すると、同伴検出部２１２は、エンドユーザとアフィリエイトユーザとが同伴で店舗に来店したと判定する。【０１５１】
また、同伴検出部２１２は、エンドユーザとアフィリエイトユーザとが同伴で店舗に来店した回数（以下、同伴来店回数ともいう）を集計し、広告効果情報として算出する機能を備える。【０１５２】
広告効果データベース２６Ｄは、第４の実施の形態で示した店舗への来店顧客数やユーザの店舗への来店回数（来店店舗数）、実来店回数（又はヒット率）に加えて、広告効果情報として、同伴検出部２１２が算出した同伴来店回数を記憶する。例えば、広告効果データベース２６Ｄは、図１２に示すように、同伴来店回数をアフィリエイトＩＤに対応付けて記憶する。【０１５３】
広告対価計算部２５Ｄは、広告効果データベース２６Ｄが記憶する広告効果情報に基づいて、アフィリエイトユーザに支払う広告転送対価を算出する機能を備える。本実施の形態では、広告対価計算部２５Ｄは、広告効果情報に示される実来店回数やヒット率に加えて同伴来店回数に応じて、アフィリエイトユーザに支払う広告転送対価を算出する。すなわち、本実施の形態では、エンドユーザとアフィリエイトユーザとが同伴で来店していることに基づいて、アフィリエイトユーザがより丁寧にエンドユーザに対して広告に関連する商品やサービスを紹介しているものと高く評価して、広告転送対価を算出する。【０１５４】
次に、動作について説明する。図１３は、第５の実施の形態における広告配信システムが広告情報を配信するとともに広告の効果を検証する処理例を示すフローチャートである。図１３において、ステップＳ５０１〜Ｓ５０３の処理は、第４の実施の形態で示したステップＳ４０１〜Ｓ４０３の処理と同様である。【０１５５】
アフィリエイトユーザは、アフィリエイトユーザ端末５１，５２が表示する広告内容を確認し、知人で広告に示される商品やサービスに関心がありそうなエンドユーザに対して広告情報の転送を行うとともに、エンドユーザに同伴して店舗に来店する。【０１５６】
アフィリエイトユーザ端末５１，５２は、第１の実施の形態で示したステップＳ１０３と同様の処理に従って、所定のタイミングで、アフィリエイト端末位置情報を検出し、検出したアフィリエイト端末位置情報及び広告情報に付加されている広告位置情報に基づいて、アフィリエイトユーザが店舗に来店したか否かを判定する（ステップＳ５０４）。アフィリエイトユーザが店舗に来店したと判定すると、アフィリエイトユーザ端末５１，５２は、予めメモリ等の記憶部に記憶するユーザＩＤ、及び広告情報に付加されている広告ＩＤ及びアフィリエイトＩＤを抽出し、通信ネットワークを介して効果検証サーバ２に送信する（ステップＳ５０５）。【０１５７】
ステップＳ５０６，Ｓ５０７の処理は、第４の実施の形態で示したステップＳ４０４、Ｓ４０５の処理と同様である。【０１５８】
次いで、効果検証サーバ２は、アフィリエイトユーザ端末５１，５２から受信したユーザＩＤ、広告ＩＤ及びアフィリエイトＩＤと、ユーザ携帯端末３から受信したユーザＩＤ、広告ＩＤ及びアフィリエイトＩＤとに基づいて、エンドユーザとアフィリエイトユーザとが同伴で店舗に来店したか否かを判定する（ステップＳ５０８）。また、効果検証サーバ２は、エンドユーザとアフィリエイトユーザとが同伴で店舗に来店したと判定すれば、アフィリエイトユーザに対して同伴来店回数を１加算し、広告効果データベース２６Ｄが記憶する同伴来店回数を更新する。【０１５９】
ステップＳ５０９，Ｓ５１０の処理は、第４の実施の形態で示したステップＳ４０７，Ｓ４０８の処理と同様である。【０１６０】
次いで、効果検証サーバ２は、広告効果データベース２６Ｃが記憶する広告効果情報に基づいて、アフィリエイトユーザ毎に、アフィリエイトユーザに支払う広告転送対価を算出する（ステップＳ５１１）。例えば、効果検証サーバ２は、第４の実施の形態と同様に、広告効果情報に示される実来店回数やヒット率に応じて、アフィリエイトユーザに支払う広告転送対価を算出する。また、例えば、効果検証サーバ２は、広告効果情報に示される同伴来店数に応じて、エンドユーザとアフィリエイトユーザとが同伴で来店したことを高く評価した広告転送対価を算出する。例えば、効果検証サーバ２は、同伴で１回来店した場合には、エンドユーザが単独で２回来店したときと同じ対価の額となるように、広告転送対価を算出する。【０１６１】
そして、広告配信会社は、算出した広告転送対価をアフィリエイトユーザに対して支払う。なお、例えば、効果検証サーバ２は、算出した広告転送対価に基づいて、電子マネー等を用いて広告転送対価を支払ってもよい。【０１６２】
以上のように、本実施の形態によれば、アフィリエイトユーザとエンドユーザとが同伴で来店した場合には、エンドユーザが単独で来店した場合よりも高く評価して、アフィリエイトユーザに対して対価を支払うビジネスモデルを実現することができる。また、アフィリエイトビジネスを実現するために、店員が特別の操作を行うことを不要とし、店舗にポイントカードリーダ等の店舗端末を設置する必要をなくすことができる。従って、店舗側の負担を増加させることなく、アフィリエイトビジネスを実現することができる。
【産業上の利用可能性】
【０１６３】
本発明は、広告情報を配信するとともに、広告配信に対してユーザが実際に店舗に来店した回数等に応じて、広告主に対して広告料を支払う広告配信サービスを提供する用途に適用できる。また、広告情報のアフィリエイト配信のサービスを提供する用途に適用できる。
【図１Ａ】
2008114643.tif 000003
【図１Ｂ】
2008114643.tif 000004
【図２Ａ】
2008114643.tif 000005
【図２Ｂ】
2008114643.tif 000006
【図３】
2008114643.tif 000007
【図４】
2008114643.tif 000008
【図５】
2008114643.tif 000009
【図６】
2008114643.tif 000010
【図７】
2008114643.tif 000011
【図８】
2008114643.tif 000012
【図９】
2008114643.tif 000013
【図１０】
2008114643.tif 000014
【図１１】
2008114643.tif 000015
【図１２】
2008114643.tif 000016
【図１３】
2008114643.tif 000017
【図１４】
2008114643.tif 000018
【手続補正書】
【提出日】平成20年7月8日(2008.7.8)
【手続補正１】
【補正対象書類名】特許請求の範囲
【補正対象項目名】全文
【補正方法】変更
【補正の内容】
【特許請求の範囲】
【請求項１】
広告情報を配信するとともに広告の効果を検証する広告配信システムであって、
広告の効果を検証する広告効果検証サーバと、
ユーザ端末とを備え、
前記ユーザ端末は、
当該ユーザ端末の位置を示す端末位置情報を求める端末位置算出手段と、
前記端末位置算出手段が求めた端末位置情報に基づいて、ユーザが来店したか否かを判定する来店判定手段と、
前記来店判定手段によってユーザが来店したと判定されたことに基づいて、端末位置算出手段を特定可能な位置算出手段特定情報を含む、ユーザが来店したことを示す来店情報を、通信ネットワークを介して前記広告効果検証サーバに送信する来店情報送信手段とを含み、
前記広告効果検証サーバは、
前記ユーザ端末から受信した来店情報に基づいて、広告の効果を検証する広告効果検証手段と、
不正改良されているユーザ端末を示す不正改良端末情報を取得する不正改良情報取得手段と、
前記位置算出手段特定情報及び前記不正改良端末情報に基づいて前記端末位置算出手段を用いた位置算出の信頼性を判定する信頼性判定手段を含み、
前記広告効果検証手段は、前記信頼性判定手段によって前記端末位置算出手段を用いた位置算出の信頼性が高いと判定されたことに基づいて、広告の効果を検証する
ことを特徴とする広告配信システム。
【請求項２】
前記ユーザ端末は、前記端末位置算出手段の位置検出精度及び分解能の少なくとも一方を前記広告結果検証サーバに送信し、
前記信頼性判定手段は、前記位置検出精度及び前記分解能の少なくとも一方に基づいて位置算出の信頼性を判定する
請求項１に記載の広告配信システム。
【請求項３】
広告情報を配信する広告配信サーバを備え、
前記広告配信サーバは、
広告情報に関する位置を示す広告位置情報を前記広告情報に付加する広告位置情報付加手段と、
前記広告位置情報付加手段が広告位置情報を付加した広告情報を、通信ネットワークを介して前記ユーザ端末に送信する広告情報送信手段とを含み、
来店判定手段は、端末位置算出手段が求めた端末位置情報と、前記広告配信サーバから受信した広告情報に付加されている広告位置情報とに基づいて、ユーザが来店したか否かを判定する
請求項１又は請求項２に記載の広告配信システム。
【請求項４】
広告配信サーバは、広告情報を識別するための広告ＩＤを前記広告情報に付加する広告ＩＤ付加手段を含み、
広告情報送信手段は、前記広告ＩＤ付加手段が広告ＩＤを付加した広告情報を、通信ネットワークを介してユーザ端末に送信し、
来店情報送信手段は、前記広告配信サーバから受信した広告情報に付加された広告ＩＤを含む来店情報を、通信ネットワークを介して広告効果検証サーバに送信し、
広告効果検証手段は、ユーザ端末からの広告ＩＤの受信回数を集計することによって、広告の効果を示す広告効果情報として、来店顧客数を含む情報を生成し、
広告効果検証サーバは、前記広告効果検証手段が生成した広告効果情報に示される来店顧客数に応じて、広告主に対して請求する広告料を算出する広告料算出手段を含む
請求項３記載の広告配信システム。
【請求項５】
来店情報送信手段は、ユーザを識別するためのユーザＩＤを含む来店情報を、通信ネットワークを介して広告効果検証サーバに送信し、
広告効果検証手段は、ユーザ端末からのユーザＩＤの受信回数を集計することによって、広告の効果を示す広告効果情報として、ユーザの来店回数を含む情報を生成し、
広告効果検証サーバは、前記広告効果検証手段が生成した広告効果情報に示される来店回数に応じて、ユーザに対して付与するポイントを算出するポイント算出手段を含む
請求項１から請求項４のうちのいずれか１項に記載の広告配信システム。
【請求項６】
広告情報を配信するとともに広告の効果を検証する広告配信システムであって、
広告の効果を検証する広告効果検証サーバと、
通信キャリアが運営する通信キャリアサーバと、
ユーザ端末とを備え、
前記ユーザ端末は、
当該ユーザ端末の位置を示す端末位置情報を求める端末位置算出手段と、
前記端末位置算出手段が求めた端末位置情報に基づいて、ユーザが来店したか否かを判定する来店判定手段と、
前記来店判定手段によってユーザが来店したと判定されたことに基づいて、ユーザが来店したことを示す来店情報を、通信ネットワークを介して前記広告効果検証サーバに送信する来店情報送信手段とを含み、
前記広告効果検証サーバは、前記ユーザ端末から受信した来店情報に基づいて、広告の効果を検証する広告効果検証手段を含み、
前記通信キャリアサーバは、
端末位置情報を取得する端末位置取得手段と、
前記端末位置取得手段が取得した端末位置情報に基づいて、ユーザが来店したか否かを判定するキャリア側来店判定手段と、
前記キャリア側来店判定手段によってユーザが来店したと判定されたことに基づいて、ユーザが来店したことを示す来店情報を、通信ネットワークを介して前記広告効果検証サーバに送信するキャリア側来店情報送信手段とを含み、
広告効果検証サーバは、広告効果検証手段の検証結果に基づいて、通信キャリアに対して支払う対価を算出するキャリア対価算出手段を含むことを特徴とする
広告配信システム。
【請求項７】
広告情報を配信する広告配信サーバと、
広告情報を仲介するアフィリエイト仲介者が使用するアフィリエイト端末を備え、
前記広告配信サーバは、アフィリエイト仲介者を識別するためのアフィリエイトＩＤを広告情報に付加するアフィリエイトＩＤ付加手段と、
前記アフィリエイトＩＤ付加手段がアフィリエイトＩＤを付加した広告情報を、通信ネットワークを介して前記ユーザ端末に送信する広告情報送信手段を含み、
前記アフィリエイト端末は、前記広告配信サーバから受信した広告情報をユーザ端末に転送する広告情報転送手段を含み、
来店情報送信手段は、前記アフィリエイト端末から受信した広告情報に付加されたアフィリエイトＩＤを含む来店情報を、通信ネットワークを介して広告効果検証サーバに送信し、
広告効果検証手段は、ユーザ端末からのアフィリエイトＩＤの受信回数を集計することによって、広告の効果を示す広告効果情報として、アフィリエイト仲介者の紹介によってユーザが実際に来店した実来店回数を含む情報を生成し、
広告効果検証サーバは、前記広告効果検証手段が生成した広告効果情報に示される実来店回数に応じて、アフィリエイト仲介者に対して支払う対価を算出するアフィリエイト対価算出手段を含む
請求項１から請求項６のうちのいずれか１項に記載の広告配信システム。
【請求項８】
アフィリエイト端末は、
当該アフィリエイト端末の位置を示すアフィリエイト端末位置情報を求めるアフィリエイト端末位置算出手段と、
前記アフィリエイト端末位置算出手段が求めたアフィリエイト端末位置情報に基づいて、アフィリエイト仲介者が来店したか否かを判定するアフィリエイト来店判定手段と、
前記アフィリエイト来店判定手段によってアフィリエイト仲介者が来店したと判定されたことに基づいて、アフィリエイト仲介者が来店したことを示すアフィリエイト来店情報を、通信ネットワークを介して前記広告効果検証サーバに送信するアフィリエイト来店情報送信手段とを含み、
広告効果検証サーバは、ユーザ端末から受信した来店情報と、前記アフィリエイト端末から受信したアフィリエイト端末情報とに基づいて、アフィリエイト仲介者とユーザとが同伴で来店したか否かを判定する同伴判定手段を含み、
アフィリエイト対価算出手段は、前記同伴判定手段の判定結果に基づいて、アフィリエイト仲介者に対して支払う対価を算出する
請求項７記載の広告配信システム。
【請求項９】
広告情報を配信する広告配信システムにおける広告の効果を検証する広告効果検証サーバであって、
ユーザ端末から、前記ユーザ端末が位置の算出に用いる端末位置算出手段を特定可能な位置算出手段特定情報を含む来店情報を、通信ネットワークを介して受信する位置算出手段特定情報受信手段と、
前記ユーザ端末が不正改良されているか否かを示す不正改良情報を取得する不正改良情報取得手段と、
前記位置算出手段特定情報及び前記不正改良情報に基づいて、前記ユーザ端末による前記端末位置算出手段を用いた位置算出の信頼性を判定する信頼性判定手段と、
前記信頼性判定手段によって前記端末位置算出手段を用いた位置算出の信頼性が高いと判定されたことに基づいて、広告の効果を検証する広告効果検証手段とを
備えたことを特徴とする広告効果検証サーバ。
【請求項１０】
前記ユーザ端末より、前記端末位置算出手段の位置検出精度及び分解能の少なくとも一方を受信し、
前記信頼性判定手段は、前記位置検出精度及び前記分解能の少なくとも一方に基づいて前記端末位置算出手段を用いた位置算出の信頼性を判定する
ことを特徴とする請求項９に記載の広告効果検証サーバ。
【請求項１１】
通信キャリアが運営する通信キャリアサーバから、ユーザが来店したことを示す来店情報を、通信ネットワークを介して受信するキャリア側来店情報受信手段と、
広告効果検証手段の検証結果に基づいて、通信キャリアに対して支払う対価を算出するキャリア対価算出手段とを備えた
請求項９又は請求項１０に記載の広告効果検証サーバ。
【請求項１２】
ユーザ端末から、広告情報を仲介するアフィリエイト仲介者を識別するためのアフィリエイトＩＤを含む来店情報を、通信ネットワークを介して受信する来店情報受信手段を備え、
広告効果検証手段は、ユーザ端末からのアフィリエイトＩＤの受信回数を集計することによって、広告の効果を示す広告効果情報として、アフィリエイト仲介者の紹介によってユーザが実際に来店した実来店回数を含む情報を生成し、
前記広告効果検証手段が生成した広告効果情報に示される実来店回数に応じて、アフィリエイト仲介者に対して支払う対価を算出するアフィリエイト対価算出手段をさらに備えた
請求項９から請求項１１のうちいずれか１項に記載の広告効果検証サーバ。
【請求項１３】
アフィリエイト仲介者が使用するアフィリエイト端末から、アフィリエイト仲介者が来店したことを示すアフィリエイト来店情報を、通信ネットワークを介して受信するアフィリエイト来店情報受信手段と、
ユーザ端末から受信した来店情報と、前記アフィリエイト端末から受信したアフィリエイト端末情報とに基づいて、アフィリエイト仲介者とユーザとが同伴で来店したか否かを判定する同伴判定手段とを備え、
アフィリエイト対価算出手段は、前記同伴判定手段の判定結果に基づいて、アフィリエイト仲介者に対して支払う対価を算出する
請求項９から請求項１２のうちいずれか１項に記載の広告効果検証サーバ。
【請求項１４】
広告情報を配信するとともに広告の効果を検証する広告配信方法であって、
ユーザ端末が、当該ユーザ端末の位置を示す端末位置情報を求める端末位置算出ステップと、
前記ユーザ端末が、求めた端末位置情報に基づいて、ユーザが来店したか否かを判定する来店判定ステップと、
前記ユーザ端末が、ユーザが来店したと判定したことに基づいて、当該ユーザ端末が位置の算出に用いる端末位置算出手段を特定可能な位置算出手段特定情報を含む来店情報を、通信ネットワークを介して広告効果検証サーバに送信する来店情報送信ステップと、
前記広告効果検証サーバが、前記ユーザ端末が不正改良させているか否かを示す不正改良情報を取得する不正改良情報取得ステップと、
広告効果検証サーバが、前記不正改良情報及び前記位置算出手段特定情報に基づいて、前記端末位置算出手段を用いた位置算出の信頼性を判定する信頼性判定ステップを含み、
前記広告効果検証サーバが、広告効果検証ステップで、前記端末位置算出手段を用いた位置算出の信頼性が高いと判定したことに基づいて、広告の効果を検証することを特徴とする広告配信システムの広告配信方法。
【請求項１５】
前記広告効果検証サーバが、前記ユーザ端末から、前記位置算出手段の位置検出精度及び分解能の少なくとも一方を受信する位置検出精度及び分解能取得ステップを更に含み、
前記信頼性判定ステップで、広告効果検証サーバは、前記位置検出精度及び前記分解能の少なくとも一方に基づいて前記端末位置算出手段を用いた位置算出の信頼性を判定する
ことを特徴とする請求項１４に記載の広告配信方法。
【請求項１６】
通信キャリアが運営する通信キャリアサーバが、端末位置情報を取得する端末位置取得ステップと、
前記通信キャリアサーバが、取得した端末位置情報に基づいて、ユーザが来店したか否かを判定するキャリア側来店判定ステップと、
前記通信キャリアサーバが、ユーザが来店したと判定したことに基づいて、ユーザが来店したことを示す来店情報を、通信ネットワークを介して広告効果検証サーバに送信するキャリア側来店情報送信ステップと、
前記広告効果検証サーバが、広告の効果の検証結果に基づいて、通信キャリアに対して支払う対価を算出するキャリア対価算出ステップとを含む
請求項１４又は請求項１５記載の広告配信方法。
【請求項１７】
広告情報を配信する広告配信サーバが、広告情報を仲介するアフィリエイト仲介者を識別するためのアフィリエイトＩＤを広告情報に付加するアフィリエイトＩＤ付加ステップと、
前記広告配信サーバが、アフィリエイトＩＤを付加した広告情報を、通信ネットワークを介して前記ユーザ端末に送信する広告情報送信ステップと、
アフィリエイト仲介者が使用するアフィリエイト端末が、前記広告配信サーバから受信した広告情報をユーザ端末に転送する広告情報転送ステップと、
前記ユーザ端末が、来店情報送信ステップで、前記アフィリエイト端末から受信した広告情報に付加されたアフィリエイトＩＤを含む来店情報を、通信ネットワークを介して広告効果検証サーバに送信し、
前記広告効果検証サーバが、広告効果検証ステップで、ユーザ端末からのアフィリエイトＩＤの受信回数を集計することによって、広告の効果を示す広告効果情報として、アフィリエイト仲介者の紹介によってユーザが実際に来店した実来店回数を含む情報を生成し、
前記広告効果検証サーバが、生成した広告効果情報に示される実来店回数に応じて、アフィリエイト仲介者に対して支払う対価を算出するアフィリエイト対価算出ステップを含む
請求項１４から請求項１６のうちいずれか１項に記載の広告配信方法。
【請求項１８】
アフィリエイト端末が、当該アフィリエイト端末の位置を示すアフィリエイト端末位置情報を求めるアフィリエイト端末位置算出ステップと、
前記アフィリエイト端末が、求めたアフィリエイト端末位置情報に基づいて、アフィリエイト仲介者が来店したか否かを判定するアフィリエイト来店判定ステップと、
前記アフィリエイト端末が、アフィリエイト仲介者が来店したと判定したことに基づいて、アフィリエイト仲介者が来店したことを示すアフィリエイト来店情報を、通信ネットワークを介して広告効果検証サーバに送信するアフィリエイト来店情報送信ステップと、
前記広告効果検証サーバが、ユーザ端末から受信した来店情報と、前記アフィリエイト端末から受信したアフィリエイト端末情報とに基づいて、アフィリエイト仲介者とユーザとが同伴で来店したか否かを判定する同伴判定ステップとを含み、
前記広告効果検証サーバが、アフィリエイト対価算出ステップで、同伴で来店したか否かの判定結果に基づいて、アフィリエイト仲介者に対して支払う対価を算出する
請求項１７記載の広告配信方法。
【請求項１９】
広告情報を配信する広告配信システムにおける広告の効果を検証するための広告効果検証プログラムであって、
コンピュータに、
ユーザ端末から、前記ユーザ端末が位置の算出に用いる端末位置算出手段を特定可能な位置算出手段特定情報を含む来店情報を、通信ネットワークを介して受信する位置算出手段特定情報受信処理と、
前記ユーザ端末が不正改良されているか否かを示す不正改良情報を取得する不正改良情報取得処理と、
取得した前記不正改良情報、及び受信した前記位置算出手段特定情報に基づいて、前記ユーザ端末による前記端末位置算出手段を用いた位置算出の信頼性を判定する信頼性判定処理と、
前記端末位置算出手段を用いた位置算出の信頼性が高いと判定したことに基づいて、広告の効果を検証する広告効果検証処理と、を実行させる
広告効果検証プログラム。
【請求項２０】
前記ユーザ端末から、前記端末位置算出手段の位置検出精度及び分解能のうち少なくとも一方を取得する位置検出精度及び分解能取得処理を更に含み、
前記信頼性判定処理は、前記位置検出精度及び前記分解能の少なくとも一方に基づいて前記端末位置算出手段を用いた位置算出の信頼性を判定する
請求項１９に記載の広告効果検証プログラム。
【請求項２１】
コンピュータに、
通信キャリアが運営する通信キャリアサーバから、ユーザが来店したことを示す来店情報を、通信ネットワークを介して受信するキャリア側来店情報受信処理と、
広告の効果の検証結果に基づいて、通信キャリアに対して支払う対価を算出するキャリア対価算出処理とを実行させる
請求項１９又は請求項２０に記載の広告効果検証プログラム。
【請求項２２】
コンピュータに、
ユーザ端末から、広告情報を仲介するアフィリエイト仲介者を識別するためのアフィリエイトＩＤを含む来店情報を、通信ネットワークを介して受信する来店情報受信処理を実行させ、
広告効果検証処理で、ユーザ端末からのアフィリエイトＩＤの受信回数を集計することによって、広告の効果を示す広告効果情報として、アフィリエイト仲介者の紹介によってユーザが実際に来店した実来店回数を含む情報を生成する処理を実行させ、
生成した広告効果情報に示される実来店回数に応じて、アフィリエイト仲介者に対して支払う対価を算出するアフィリエイト対価算出処理をさらに実行させる
請求項１９から請求項２１のうちいずれか１項に記載の広告効果検証プログラム。
【請求項２３】
コンピュータに、
アフィリエイト仲介者が使用するアフィリエイト端末から、アフィリエイト仲介者が来店したことを示すアフィリエイト来店情報を、通信ネットワークを介して受信するアフィリエイト来店情報受信処理と、
ユーザ端末から受信した来店情報と、前記アフィリエイト端末から受信したアフィリエイト端末情報とに基づいて、アフィリエイト仲介者とユーザとが同伴で来店したか否かを判定する同伴判定処理とを実行させ、
アフィリエイト対価算出処理で、同伴で来店したか否かの判定結果に基づいて、アフィリエイト仲介者に対して支払う対価を算出する処理を実行させる
請求項２２記載の広告効果検証プログラム。
【国際調査報告】
2008114643.tif 000019
2008114643.tif 000020
2008114643.tif 000021
2008114643.tif 000022